(57)【要約】【課題】上部透明電極に集合した粒子の色と下部電極に集合した粒子の色との積層混色による表示品質の低下を防げるようにする。【解決手段】電気泳動表示装置１の各画素を構成する、上部透明電極２と下部電極３とを視認方向１００から平面視して、両者が重ならないように、上部透明電極２を上部透明基板１７に設け、下部電極３をセル１３の内側の底面部に設けると共に、上部透明基板１７の上部透明電極２の形成面と同じ面に、上部透明電極２の形成部分を空白部分とし、視認方向１００から平面視して、下部電極３と各セル１３の隔壁１２の上部とを遮蔽する形状を有した遮光膜を有するブラックマトリクス６を設けた。【選択図】図１
2011186004.tif 000002
【特許請求の範囲】
【請求項１】
基板と、
前記基板の一方の面を複数の隔壁で空間的に区画して形成された複数のセルと、
各前記セルの開口部に所定面積の表示面を形成するように設けられた、透明性を有し且つ前記セルの内側の底面部の面積よりも小面積の第１電極と、
前記各セルの前記底面部に設けられた、前記第１電極を透過した透過光を所定色の色光として反射する前記表示面と対向する反射面を有する反射部材と、
前記各セルの前記底面部に設けられた第２電極と、
前記各セルの内側に設けられた透明性及び絶縁性を有する分散媒と、
前記分散媒中に分散された、少なくとも１種類の所定極性に帯電した有色の複数の電気泳動粒子と、
前記第１電極及び前記第２電極に所定極性の電圧を印加する電圧印加手段と、を備え、
前記第２電極を、視認側から平面視して前記第１電極と重ならないように設けたことを特徴とする電気泳動表示装置。
【請求項２】
前記第１電極は、前記開口部の中央に所定面積の表示面を形成するように設けられ、
前記第２電極は、前記視認側から平面視して前記第１電極と隣接する位置に設けられることを特徴とする請求項１に記載の電気泳動表示装置。
【請求項３】
前記第２電極を視認側から遮蔽する遮光性の遮蔽部材を備えることを特徴とする請求項１又は請求項２に記載の電気泳動表示装置。
【請求項４】
前記第２電極の上部に絶縁性の保護膜を設けたことを特徴とする請求項１乃至請求項３のいずれか１項に記載の電気泳動表示装置。
【請求項５】
前記第１電極の前記分散媒と接触する側の面に絶縁性の保護膜を設けたことを特徴とする請求項１乃至請求項４のいずれか１項に記載の電気泳動表示装置。
【請求項６】
前記電圧印加手段は、前記電気泳動粒子が前記第１電極から前記第２電極に向かって泳動するように、又は前記第２電極から前記第１電極に向かって泳動するように前記第１電極及び前記第２電極に互いに異なる極性の電圧を印加することを特徴とする請求項１乃至請求項５のいずれか１項に記載の電気泳動表示装置。
【請求項７】
前記第２電極は、互いに独立した第１の第２電極と第２の第２電極とを備えることを特徴とする請求項１乃至請求項６のいずれか１項に記載の電気泳動表示装置。
【請求項８】
前記電気泳動粒子は、前記反射部材の反射色光とは異なる第１の色に着色された第１電気泳動粒子と、前記第１の色とは異なる第２の色に着色され且つ前記第１電気泳動粒子と異なる極性に帯電した第２電気泳動粒子とを含み、
前記電圧印加手段は、前記第１電極、前記第１の第２電極及び前記第２の第２電極に所定極性の電圧を印加して、前記第１電気泳動粒子を前記第１電極と前記第２電極とを行き来するように泳動させ、前記第２電気泳動粒子を前記第１電極と前記第２電極とを行き来するように泳動させることを特徴とする請求項７に記載の電気泳動表示装置。
【請求項９】
前記複数のセルにおける隣接する各３つのセルの組で一画素を構成し、
各組を構成する３つのセルを第１〜第３のセルとして、前記第１〜第３のセルに対応する前記反射部材を白色の反射色光を反射する構成とし、前記第１〜第３のセルに対応する前記第１電気泳動粒子を黒色に着色し、前記第１〜第３のセルに対応する各前記第２電気泳動粒子を赤色、青色及び緑色のうち前記第１〜第３のセルにおいて相互に異なる色に着色したことを特徴とする請求項８に記載の電気泳動表示装置。
【請求項１０】
前記複数のセルにおける隣接する各３つのセルの組で一画素を構成し、
各組を構成する３つのセルを第１〜第３のセルとして、前記第１〜第３のセルに対応する前記第１電気泳動粒子を白色に着色し、前記第１〜第３のセルに対応する前記第２電気泳動粒子を黒色に着色し、前記第１〜第３のセルに対応する各前記反射部材を赤色、青色及び緑色のうち前記第１〜第３のセルにおいて相互に異なる色の反射色光を反射する構成としたことを特徴とする請求項８に記載の電気泳動表示装置。
【請求項１１】
前記複数のセルにおける隣接する各４つのセルの組で一画素を構成し、
各組を構成する４つのセルを第１〜第４のセルとして、前記第１〜第４のセルのうち第１〜第３のセルについて、前記第２電極は、互いに独立した第１の第２電極と第２の第２電極とを備えると共に、前記電気泳動粒子は、前記反射部材の反射色光とは異なる第１の色に着色された第１電気泳動粒子と、前記第１の色とは異なる第２の色に着色され且つ前記第１電気泳動粒子と異なる極性に帯電した第２電気泳動粒子とを含み、前記第１〜第４のセルに対応する前記反射部材を白色の反射色光を反射する構成とし、前記第１〜第３のセルに対応する前記第１電気泳動粒子及び前記第４のセルの電気泳動粒子を黒色に着色し、前記第１〜第３のセルに対応する各前記第２電気泳動粒子を赤色、青色及び緑色のうち前記第１〜第３のセルにおいて相互に異なる色に着色したことを特徴とする請求項１乃至請求項６のいずれか１項に記載の電気泳動表示装置。
【請求項１２】
前記複数のセルにおける隣接する各３つのセルの組で一画素を構成し、
各組を構成する３つのセルを第１〜第３のセルとして、前記第１〜第３のセルに対応する前記電気泳動粒子を黒色に着色し、前記第１〜第３のセルに対応する各前記反射部材を白色の反射色光を反射する構成とし、前記第１〜第３のセルに対応する各前記表示面側に前記表示面と対面する、赤色、青色及び緑色のうち前記第１〜第３のセルにおいて相互に異なる色のカラーフィルターを設けたことを特徴とする請求項１乃至請求項７のいずれか１項に記載の電気泳動表示装置。
【請求項１３】
前記複数のセルにおける隣接する各４つのセルの組で一画素を構成し、
各組を構成する４つのセルを第１〜第４のセルとして、前記第１〜第４のセルに対応する反射部材を赤色、青色、緑色及び白色のうちいずれか１色の反射色光を反射する構成とし、第１〜第４のセルに対応する前記第１電気泳動粒子を赤色、青色、緑色及び白色のうち前記反射色光とは異なる色に着色し、前記第１〜第４のセルに対応する前記第２電気泳動粒子を赤色、青色、緑色及び白色のうち前記反射色光及び前記第１電気泳動粒子とは異なる色に着色し、前記第１〜第４のセルの各前記表示面側に前記表示面と対面する、赤色、青色、緑色及び白色のうちのうち前記反射色光、前記第１及び第２電気泳動粒子とは異なる色のカラーフィルターを設けたことを特徴とする請求項８に記載の電気泳動表示装置。
【請求項１４】
前記複数のセルにおける隣接する各３つのセルの組で一画素を構成し、
各組を構成する３つのセルを第１〜第３のセルとして、前記第１〜第３のセルに対応する前記反射部材を白色の反射色光を反射する構成とし、前記第１〜第３のセルに対応する前記第１電気泳動粒子を黒色に着色し、前記第１〜第３のセルに対応する各前記第２電気泳動粒子をシアン色、マゼンタ色及びイエロー色のうち前記第１〜第３のセルにおいて相互に異なる色に着色したことを特徴とする請求項８に記載の電気泳動表示装置。
【請求項１５】
前記複数のセルにおける隣接する各３つのセルの組で一画素を構成し、
各組を構成する３つのセルを第１〜第３のセルとして、前記第１〜第３のセルに対応する前記第１電気泳動粒子を白色に着色し、前記第１〜第３のセルに対応する前記第２電気泳動粒子を黒色に着色し、前記第１〜第３のセルに対応する各前記反射部材をシアン色、マゼンタ色及びイエロー色のうち前記第１〜第３のセルにおいて相互に異なる色の反射色光を反射する構成としたことを特徴とする請求項８に記載の電気泳動表示装置。
【請求項１６】
前記複数のセルにおける隣接する各４つのセルの組で一画素を構成し、
各組を構成する４つのセルを第１〜第４のセルとして、前記第１〜第４のセルのうち第１〜第３のセルについて、前記第２電極は、互いに独立した第１の第２電極と第２の第２電極とを備えると共に、前記電気泳動粒子は、前記反射部材の反射色光とは異なる第１の色に着色された第１電気泳動粒子と、前記第１の色とは異なる第２の色に着色され且つ前記第１電気泳動粒子と異なる極性に帯電した第２電気泳動粒子とを含み、前記第１〜第４のセルに対応する前記反射部材を白色の反射色光を反射する構成とし、前記第１〜第３のセルに対応する前記第１電気泳動粒子及び前記第４のセルの電気泳動粒子を黒色に着色し、前記第１〜第３のセルに対応する各前記第２電気泳動粒子をシアン色、マゼンタ色及びイエロー色のうち前記第１〜第３のセルにおいて相互に異なる色に着色したことを特徴とする請求項１乃至請求項６のいずれか１項に記載の電気泳動表示装置。
【請求項１７】
前記複数のセルにおける隣接する各３つのセルの組で一画素を構成し、
各組を構成する３つのセルを第１〜第３のセルとして、前記第１〜第３のセルに対応する前記電気泳動粒子を黒色に着色し、前記第１〜第３のセルに対応する各前記反射部材を白色の反射色光を反射する構成とし、前記第１〜第３のセルに対応する各前記表示面側に前記表示面と対面する、シアン色、マゼンタ色及びイエロー色のうち前記第１〜第３のセルにおいて相互に異なる色のカラーフィルターを設けたことを特徴とする請求項１乃至請求項７のいずれか１項に記載の電気泳動表示装置。
【請求項１８】
前記複数のセルにおける隣接する各４つのセルの組で一画素を構成し、
各組を構成する４つのセルを第１〜第４のセルとして、前記第１〜第４のセルに対応する反射部材をシアン色、マゼンタ色、イエロー色及び白色のうちいずれか１色の反射色光を反射する構成とし、第１〜第４のセルに対応する前記第１電気泳動粒子をシアン色、マゼンタ色、イエロー色及び白色のうち前記反射色光とは異なる色に着色し、前記第１〜第４のセルに対応する前記第２電気泳動粒子をシアン色、マゼンタ色、イエロー色及び白色のうち前記反射色光及び前記第１電気泳動粒子とは異なる色に着色し、前記第１〜第４のセルの各前記表示面側に前記表示面と対面する、シアン色、マゼンタ色、イエロー色及び白色のうちのうち前記反射色光、前記第１及び第２電気泳動粒子とは異なる色のカラーフィルターを設けたことを特徴とする請求項８に記載の電気泳動表示装置。
【発明の詳細な説明】
【技術分野】
【０００１】
本発明は、電気泳動表示技術に関する。
【背景技術】
【０００２】
溶媒（分散媒）に帯電した粒子（電気泳動粒子）を分散させた分散液（「分散系」ともいう。）に電界を与えると、粒子は、クーロン力により分散媒中を移動（泳動）する。この現象を電気泳動といい、当該電気泳動を利用して、画像等の所望の情報を表示する電気泳動表示装置（electrophoretic display：ＥＰＤ）が知られている。
ＥＰＤの構成例としては、一対の基板間を、隔壁により複数の空間（セル）に区画し、各セル内に、帯電した粒子及び分散媒を含む分散系を封入したものが知られている。このようなＥＰＤは、例えば、一方の基板側（上部（視認）側）に設けられた上部透明電極と、他方の基板側（下部側）に設けられた下部電極とに所定極性の電圧を印加することによって、電気泳動粒子を上部透明電極側又は下部電極側に泳動させる。これにより、視認側からは上部電極側に泳動した粒子の色が視認される。
【０００３】
このような電気泳動粒子の制御方法としては、例えば、下記の特許文献１に示される方法が知られている。
また、下記の特許文献２には、着色した分散媒に電気泳動性を持つ粒子と電気泳動性を持たない粒子とを分散した電気泳動表示液を用いたディスプレイが開示されている。
【先行技術文献】
【特許文献】
【０００４】
【特許文献１】特開２００９−０９０９２号公報
【特許文献２】特開２００１−１８８２６９号公報  特許文献１の技術では、異なる色の３種類の分散性粒子を、それぞれ、電気泳動性を持たない無帯電の状態と、正に帯電させた状態と、負に帯電させた状態とし、これらのうち、正又は負に帯電している２種類の粒子に対応する２つの下部電極を設けている。そして、各下部電極及び上部透明電極に印加する電圧の極性を制御することで、３種類の色を選択的に視認させている。具体的に、３種類の粒子のうち、無帯電の粒子はセルの中間層に分散させる。そして、各下部電極に正及び負に帯電した２種類の粒子を引き寄せてこれら２種類の粒子を無帯電の粒子の下に隠すことで、無帯電の粒子を上部透明電極を通して視認させる。一方、帯電した２種類の粒子は、いずれか一方を、上部透明電極（無帯電の粒子の層の上側）に引き寄せることで視認させる。
【発明の概要】
【発明が解決しようとする課題】
【０００５】
しかしながら、特許文献１の技術では、上部透明電極と下部電極とが視認側から平面視で重なっており、視認できる領域内において、異なる色の２種類の粒子が積層された状態となる。そのため、無帯電の粒子の層を透過した光によって、積層された異なる粒子の色が混色して意図しない色として表示される場合がある。また、特許文献１の技術では、表示する色数に応じた種類の粒子を必要とする。
また、特許文献２の技術では、溶媒自体を染色することで粒子の種類を減らせるが、溶媒に染料やイオンなどの発色材を混合しなくてはならず、このような発色材の存在は、新たな電荷の授受をもたらすために電気泳動動作において不安定要因として作用しやすく、表示装置としての性能や寿命、安定性を低下させる場合がある。
【０００６】
そこで、本発明の目的の一つは、上述の課題の少なくとも一部を解決することが可能な電気泳動表示装置を提供することにある。
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【０００７】
〔形態１〕  上記目的を達成するために、形態１の電気泳動表示装置は、基板と、
前記基板の一方の面を複数の隔壁で空間的に区画して形成された複数のセルと、
各前記セルの開口部に所定面積の表示面を形成するように設けられた、透明性を有し且つ前記セルの内側の底面部の面積よりも小面積の第１電極と、
前記各セルの前記底面部に設けられた、前記第１電極を透過した透過光を所定色の色光として反射する前記表示面と対向する反射面を有する反射部材と、
前記各セルの前記底面部に設けられた第２電極と、
前記各セルの内側に設けられた透明性及び絶縁性を有する分散媒と、
前記分散媒中に分散された、少なくとも１種類の所定極性に帯電した有色の複数の電気泳動粒子と、
前記第１電極及び前記第２電極に所定極性の電圧を印加する電圧印加手段と、を備え、
前記第２電極を、視認側から平面視して前記第１電極と重ならないように設けた。
このような構成であれば、反射部材の色と電気泳動粒子の色とで２種類以上の色表示を行うことができるので、例えば、１種類の電気泳動粒子と１種類の第２電極との簡易な構成で２種類の色表示を実現することができる。また、制御する粒子の種類を１種類分減らすことができるので、粒子の制御を簡易に行うことができる。
【０００８】
また、第１電極と第２電極とが平面視で重ならないように設けられているので、第１電極と、第２電極に集合した粒子とが平面視で重ならなくなるため、異なる色の積層による混色の発生を低減することができる。つまり、簡易な構成で、反射部材からの光反射効率を高めることができるので、高コントラストな表示を行うことができる。
また、第１電極と第２電極との間でフリンジ電界（縦斜め方向の電界）を発生させて電気泳動粒子を縦斜め方向に泳動させることができるので、電気泳動粒子に電荷の偏りが生じるのを低減することができる。例えば、第１電極と第２電極とを表示面側に並置した場合に、この場合は、電気泳動粒子を横方向に泳動させる電界を発生させることになるが、このような電界を発生させると電荷の偏りが生じてしまう。
ここで、上記「重ならないように設けた」とは、設けた結果が少しも重なっていない状態であることが望ましいが、重ならないように製造した際の、製造上の誤差によって重なった状態も含む。但し、表示品質が著しく低下するような状態（許容誤差範囲外）は除くものとする。
【０００９】
〔形態２〕  更に、形態２の電気泳動表示装置は、形態１の電気泳動表示装置において、前記第１電極は、前記開口部の中央に所定面積の表示面を形成するように設けられ、
前記第２電極は、前記視認側から平面視して前記第１電極と隣接する位置に設けられる。
このような構成であれば、各セルの開口部の中央部分を表示面とし、その周囲を非表示面とすることができるので、複数のセルについて、非表示部分を遮光性を有する部材によって、容易に隠蔽することができる。
【００１０】
〔形態３〕  更に、形態３の電気泳動表示装置は、形態１又は２の電気泳動表示装置において、前記第２電極を視認側から遮蔽する遮光性の遮蔽部材を備える。
このような構成であれば、第２電極に引き寄せられている電気泳動粒子が表示面側から視認されるのを防ぐことができる。
ここで、上記「遮蔽部材」は、第２電極の視認部分に形成したブラックマトリクスなどの遮光性を有する層や、セルを構成する隔壁に設けた遮蔽部などが該当する。その他、隔壁自体を遮光性を有する部材で形成し、隔壁自体の形状を第２電極を遮蔽する形状としたものなど、本来の機能を著しく阻害しないものであればどのようなものでもよい。
【００１１】
〔形態４〕  更に、形態４の電気泳動表示装置は、形態１乃至３のいずれか１の電気泳動表示装置において、前記第２電極の上部に絶縁性の保護膜を設けた。
このような構成であれば、例えば、第１電極に対して電気泳動粒子の帯電極性と逆極性の電圧を印加し、且つ第２電極をグランド電位又は第２電極に対して電気泳動粒子の帯電極性と同極性の電圧を印加したとする。このような場合に、第２電極に貼り付いた状態にある電気泳動粒子が第１電極に向かって泳動をせずに第２電極に貼り付いたままの状態になるのを防ぐことができる。
【００１２】
〔形態５〕  更に、形態５の電気泳動表示装置は、形態１乃至４のいずれか１の電気泳動表示装置において、前記第１電極の前記分散媒と接触する側の面に絶縁性の保護膜を設けた。
このような構成であれば、第１電極をグランド電位とするか又は第１電極に対して電気泳動粒子の帯電と同極性の電圧を印加し、且つ第２電極に対して電気泳動粒子と逆極性の電圧を印加したときに、第１電極に貼り付いた状態にある電気泳動粒子が第２電極に向かって泳動をせずに第１電極に貼り付いたままの状態になるのを防ぐことができる。
【００１３】
〔形態６〕  更に、形態６の電気泳動表示装置は、形態１乃至５のいずれか１の電気泳動表示装置において、前記電圧印加手段は、前記電気泳動粒子が前記第１電極から前記第２電極に向かって泳動するように、又は前記第２電極から前記第１電極に向かって泳動するように前記第１電極及び前記第２電極に互いに異なる極性の電圧を印加する。
このような構成であれば、第１電極と第２電極との間でフリンジ電界を発生させて電気泳動粒子を縦斜め方向に泳動させることができる。これにより、第１電極と第２電極とを並置した場合と比較して、電気泳動粒子に電荷の偏りが生じるのを低減することができる。
【００１４】
〔形態７〕  更に、形態７の電気泳動表示装置は、形態１乃至６のいずれか１の電気泳動表示装置において、前記第２電極は、互いに独立した第１の第２電極と第２の第２電極とを備える。
このような構成であれば、第１電極と第１の第２電極との間と、第１電極と第２の第２電極との間でフリンジ電界を発生させることができるので、互いに対称となる縦斜め方向に電気泳動粒子を泳動させることができる。これにより、電気泳動粒子に電荷の偏りが生じるのをより低減することができる。
【００１５】
〔形態８〕  更に、形態８の電気泳動表示装置は、形態７の電気泳動表示装置において、前記電気泳動粒子は、前記反射部材の反射色光とは異なる第１の色に着色された第１電気泳動粒子と、前記第１の色とは異なる第２の色に着色され且つ前記第１電気泳動粒子と異なる極性に帯電した第２電気泳動粒子とを含み、
前記電圧印加手段は、前記第１電極、前記第１の第２電極及び前記第２の第２電極に所定極性の電圧を印加して、前記第１電気泳動粒子を前記第１電極と前記第２電極とを行き来するように泳動させ、前記第２電気泳動粒子を前記第１電極と前記第２電極とを行き来するように泳動させる。
このような構成であれば、電圧印加手段によって、フリンジ電界を発生させて、第１電気泳動粒子及び第２電気泳動粒子を第１電極と第２電極との間を縦斜め方向に泳動させて、反射部材の反射色光と、第１電気泳動粒子の色と、第２電気泳動粒子の色との３種類の色を選択的に表示させることができる。
【００１６】
〔形態９〕  更に、形態９の電気泳動表示装置は、形態８の電気泳動表示装置において、前記複数のセルにおける隣接する各３つのセルの組で一画素を構成し、
各組を構成する３つのセルを第１〜第３のセルとして、前記第１〜第３のセルに対応する前記反射部材を白色の反射色光を反射する構成とし、前記第１〜第３のセルに対応する前記第１電気泳動粒子を黒色に着色し、前記第１〜第３のセルに対応する各前記第２電気泳動粒子を赤色、青色及び緑色のうち前記第１〜第３のセルにおいて相互に異なる色に着色した。
このような構成であれば、第１〜第３のセルに対応する各反射部材の白色と、第１〜第３のセルに対応する各第１電気泳動粒子の黒色と、第１〜第３のセルに対応する第２電気泳動粒子の赤色、青色及び緑色との各セルにおける表示色の選択の仕方（色の組み合わせ）によって、一画素において、様々な色を選択的に表示させることができる。
【００１７】
〔形態１０〕  更に、形態１０の電気泳動表示装置は、形態８の電気泳動表示装置において、前記複数のセルにおける隣接する各３つのセルの組で一画素を構成し、
各組を構成する３つのセルを第１〜第３のセルとして、前記第１〜第３のセルに対応する前記第１電気泳動粒子を白色に着色し、前記第１〜第３のセルに対応する前記第２電気泳動粒子を黒色に着色し、前記第１〜第３のセルに対応する各前記反射部材を赤色、青色及び緑色のうち前記第１〜第３のセルにおいて相互に異なる色の反射色光を反射する構成とした。
このような構成であれば、第１〜第３のセルに対応する各第１電気泳動粒子の白色と、第１〜第３のセルに対応する各第２電気泳動粒子の黒色と、第１〜第３のセルに対応する反射部材の赤色、青色及び緑色との各セルにおける表示色の選択の仕方（色の組み合わせ）によって、一画素において、様々な色を選択的に表示させることができる。
【００１８】
〔形態１１〕  更に、形態１１の電気泳動表示装置は、形態１乃至６のいずれか１の電気泳動表示装置において、前記複数のセルにおける隣接する各４つのセルの組で一画素を構成し、
各組を構成する４つのセルを第１〜第４のセルとして、前記第１〜第４のセルのうち第１〜第３のセルについて、前記第２電極は、互いに独立した第１の第２電極と第２の第２電極とを備えると共に、前記電気泳動粒子は、前記反射部材の反射色光とは異なる第１の色に着色された第１電気泳動粒子と、前記第１の色とは異なる第２の色に着色され且つ前記第１電気泳動粒子と異なる極性に帯電した第２電気泳動粒子とを含み、前記第１〜第４のセルに対応する前記反射部材を白色の反射色光を反射する構成とし、前記第１〜第３のセルに対応する前記第１電気泳動粒子及び前記第４のセルの電気泳動粒子を黒色に着色し、前記第１〜第３のセルに対応する各前記第２電気泳動粒子を赤色、青色及び緑色のうち前記第１〜第３のセルにおいて相互に異なる色に着色した。
【００１９】
このような構成であれば、第１〜第４のセルに対応する反射部材の白色と、第１〜第３のセルに対応する第１電気泳動粒子及び第４のセルに対応する電気泳動粒子の黒色と、第１〜第３のセルに対応する各第２電気泳動粒子の赤色、青色及び緑色との各セルにおける表示色の選択の仕方（色の組み合わせ）によって、一画素において、様々な色を選択的に表示させることができる。
【００２０】
〔形態１２〕  更に、形態１２の電気泳動表示装置は、形態１乃至７のいずれか１の電気泳動表示装置において、前記複数のセルにおける隣接する各３つのセルの組で一画素を構成し、
各組を構成する３つのセルを第１〜第３のセルとして、前記第１〜第３のセルに対応する前記電気泳動粒子を黒色に着色し、前記第１〜第３のセルに対応する各前記反射部材を白色の反射色光を反射する構成とし、前記第１〜第３のセルに対応する各前記表示面側に前記表示面と対面する、赤色、青色及び緑色のうち前記第１〜第３のセルにおいて相互に異なる色のカラーフィルターを設けた。
このような構成であれば、第１〜第３のセルの各電気泳動粒子の黒色と、第１〜第３のセルの各カラーフィルターの赤色、青色及び緑色との各セルにおける表示色の選択の仕方（色の組み合わせ）によって、一画素において、様々な色を選択的に表示させることができる。
【００２１】
〔形態１３〕  更に、形態１３の電気泳動表示装置は、形態８の電気泳動表示装置において、前記複数のセルにおける隣接する各４つのセルの組で一画素を構成し、
各組を構成する４つのセルを第１〜第４のセルとして、前記第１〜第４のセルに対応する反射部材を赤色、青色、緑色及び白色のうちいずれか１色の反射色光を反射する構成とし、第１〜第４のセルに対応する前記第１電気泳動粒子を赤色、青色、緑色及び白色のうち前記反射色光とは異なる色に着色し、前記第１〜第４のセルに対応する前記第２電気泳動粒子を赤色、青色、緑色及び白色のうち前記反射色光及び前記第１電気泳動粒子とは異なる色に着色し、前記第１〜第４のセルの各前記表示面側に前記表示面と対面する、赤色、青色、緑色及び白色のうちのうち前記反射色光、前記第１及び第２電気泳動粒子とは異なる色のカラーフィルターを設けた。
このような構成であれば、第１〜第４のセルの各第１及び第２電気泳動粒子の色と、第１〜第４の各カラーフィルターの色との各セルにおける表示色の選択の仕方（色の組み合わせ）によって、一画素において、様々な色を選択的に表示させることができる。
【００２２】
〔形態１４〕  更に、形態１４の電気泳動表示装置は、形態８の電気泳動表示装置において、  前記複数のセルにおける隣接する各３つのセルの組で一画素を構成し、
各組を構成する３つのセルを第１〜第３のセルとして、前記第１〜第３のセルに対応する前記反射部材を白色の反射色光を反射する構成とし、前記第１〜第３のセルに対応する前記第１電気泳動粒子を黒色に着色し、前記第１〜第３のセルに対応する各前記第２電気泳動粒子をシアン色、マゼンタ色及びイエロー色のうち前記第１〜第３のセルにおいて相互に異なる色に着色した。
【００２３】
このような構成であれば、第１〜第３のセルに対応する各反射部材の白色と、第１〜第３のセルに対応する各第１電気泳動粒子の黒色と、第１〜第３のセルに対応する第２電気泳動粒子のシアン色、マゼンタ色及びイエロー色との各セルにおける表示色の選択の仕方（色の組み合わせ）によって、一画素において、様々な色を選択的に表示させることができる。
【００２４】
〔形態１５〕  更に、形態１５の電気泳動表示装置は、形態８の電気泳動表示装置において、前記複数のセルにおける隣接する各３つのセルの組で一画素を構成し、
各組を構成する３つのセルを第１〜第３のセルとして、前記第１〜第３のセルに対応する前記第１電気泳動粒子を白色に着色し、前記第１〜第３のセルに対応する前記第２電気泳動粒子を黒色に着色し、前記第１〜第３のセルに対応する各前記反射部材をシアン色、マゼンタ色及びイエロー色のうち前記第１〜第３のセルにおいて相互に異なる色の反射色光を反射する構成とした。
【００２５】
このような構成であれば、第１〜第３のセルに対応する各第１電気泳動粒子の白色と、第１〜第３のセルに対応する各第２電気泳動粒子の黒色と、第１〜第３のセルに対応する反射部材のシアン色、マゼンタ色及びイエロー色との各セルにおける表示色の選択の仕方（色の組み合わせ）によって、一画素において、様々な色を選択的に表示させることができる。
【００２６】
〔形態１６〕  更に、形態１６の電気泳動表示装置は、形態１乃至６のいずれか１の電気泳動表示装置において、前記複数のセルにおける隣接する各４つのセルの組で一画素を構成し、
各組を構成する４つのセルを第１〜第４のセルとして、前記第１〜第４のセルのうち第１〜第３のセルについて、前記第２電極は、互いに独立した第１の第２電極と第２の第２電極とを備えると共に、前記電気泳動粒子は、前記反射部材の反射色光とは異なる第１の色に着色された第１電気泳動粒子と、前記第１の色とは異なる第２の色に着色され且つ前記第１電気泳動粒子と異なる極性に帯電した第２電気泳動粒子とを含み、前記第１〜第４のセルに対応する前記反射部材を白色の反射色光を反射する構成とし、前記第１〜第３のセルに対応する前記第１電気泳動粒子及び前記第４のセルの電気泳動粒子を黒色に着色し、前記第１〜第３のセルに対応する各前記第２電気泳動粒子をシアン色、マゼンタ色及びイエロー色のうち前記第１〜第３のセルにおいて相互に異なる色に着色した。
【００２７】
このような構成であれば、第１〜第４のセルに対応する反射部材の白色と、第１〜第３のセルに対応する第１電気泳動粒子及び第４のセルに対応する電気泳動粒子の黒色と、第１〜第３のセルに対応する各第２電気泳動粒子のシアン色、マゼンタ色及びイエロー色との各セルにおける表示色の選択の仕方（色の組み合わせ）によって、一画素において、様々な色を選択的に表示させることができる。
【００２８】
〔形態１７〕  更に、形態１７の電気泳動表示装置は、形態１乃至７のいずれか１の電気泳動表示装置において、前記複数のセルにおける隣接する各３つのセルの組で一画素を構成し、
各組を構成する３つのセルを第１〜第３のセルとして、前記第１〜第３のセルに対応する前記電気泳動粒子を黒色に着色し、前記第１〜第３のセルに対応する各前記反射部材を白色の反射色光を反射する構成とし、前記第１〜第３のセルに対応する各前記表示面側に前記表示面と対面する、シアン色、マゼンタ色及びイエロー色のうち前記第１〜第３のセルにおいて相互に異なる色のカラーフィルターを設けた。
【００２９】
このような構成であれば、第１〜第４のセルに対応する反射部材の白色と、第１〜第３のセルに対応する第１電気泳動粒子及び第４のセルに対応する電気泳動粒子の黒色と、第１〜第３のセルに対応する各第２電気泳動粒子のシアン色、マゼンタ色及びイエロー色との各セルにおける表示色の選択の仕方（色の組み合わせ）によって、一画素において、様々な色を選択的に表示させることができる。
このような構成であれば、第１〜第３のセルの各電気泳動粒子の黒色と、第１〜第３のセルの各カラーフィルターのシアン色、マゼンタ色及びイエロー色との各セルにおける表示色の選択の仕方（色の組み合わせ）によって、一画素において、様々な色を選択的に表示させることができる。
【００３０】
〔形態１８〕更に、形態１８の電気泳動表示装置は、形態８の電気泳動表示装置において、前記複数のセルにおける隣接する各４つのセルの組で一画素を構成し、
各組を構成する４つのセルを第１〜第４のセルとして、前記第１〜第４のセルに対応する反射部材をシアン色、マゼンタ色、イエロー色及び白色のうちいずれか１色の反射色光を反射する構成とし、第１〜第４のセルに対応する前記第１電気泳動粒子をシアン色、マゼンタ色、イエロー色及び白色のうち前記反射色光とは異なる色に着色し、前記第１〜第４のセルに対応する前記第２電気泳動粒子をシアン色、マゼンタ色、イエロー色及び白色のうち前記反射色光及び前記第１電気泳動粒子とは異なる色に着色し、前記第１〜第４のセルの各前記表示面側に前記表示面と対面する、シアン色、マゼンタ色、イエロー色及び白色のうちのうち前記反射色光、前記第１及び第２電気泳動粒子とは異なる色のカラーフィルターを設けた。
このような構成であれば、第１〜第４のセルの各第１及び第２電気泳動粒子の色と、第１〜第４の各カラーフィルターの色との各セルにおける表示色の選択の仕方（色の組み合わせ）によって、一画素において、様々な色を選択的に表示させることができる。
【図面の簡単な説明】
【００３１】
【図１】電気泳動表示装置を模式的に示す分解斜視図である。
【図２】（ａ）は、電気泳動表示装置の一部を表示面側（視認側）から見た模式的な平面図であり、（ｂ）は、（ａ）におけるＡ−Ａ矢視断面図である。
【図３】図２（ｂ）のＡ−Ａ矢視断面図における単位セル部分の拡大図である。
【図４】（ａ）は、下部基板１１に形成されたセル１３を表示面側から見た一例を示す模式的な部分平面図であり、（ｂ）は、（ａ）に対応するＢＭ６の模式的な部分平面図である。
【図５】表示面層１８を模式的に示す分解斜視図である。
【図６】各セル１３の開口部１４を表示面層１８で封止するときの両者の配置関係の一例を示す断面図である。
【図７】（ａ）及び（ｂ）は、下部電極３上に形成する絶縁膜７の形成例を示す図である。
【図８】（ａ）〜（ｃ）は、電気泳動装置１の動作を説明する断面図である。
【図９】（ａ）〜（ｃ）は、第２の実施形態に係る電気泳動表示装置の３種類のサブピクセル部の縦断面図である。
【図１０】（ａ）は、第２の実施形態に係る電気泳動表示装置の下部基板１１に形成されたセル１３を表示面側から見た一例を示す模式的な部分平面図であり、（ｂ）は、（ａ）に対応するＢＭ６の模式的な部分平面図である。
【図１１】（ａ）〜（ｃ）は、白色及び黒色表示時の電気泳動装置の動作を説明する断面図である。
【図１２】（ａ）〜（ｃ）は、白色及び赤色表示時の電気泳動装置の動作を説明する断面図である。
【図１３】（ａ）〜（ｆ）は、第２の実施形態に係る電気泳動表示装置の一画素の表示色の構成例を示す模式的な平面図である。
【図１４】（ａ）〜（ｇ）は、第２の実施形態の変形例に係る電気泳動表示装置の一画素の色構成例を示す模式的な平面図である。
【図１５】（ａ）〜（ｃ）は、第３の実施形態に係る電気泳動表示装置の３種類のサブピクセル部の縦断面図である。
【図１６】（ａ）〜（ｃ）は、赤色、黒色及び白色表示時の電気泳動装置の動作を説明する断面図である。
【図１７】第３の実施形態の変形例２に係る電気泳動表示装置のピクセル部の縦断面図である。
【図１８】（ａ）〜（ｃ）は、第４の実施形態に係る電気泳動表示装置の３種類のサブピクセル部の縦断面図である。
【図１９】（ａ）〜（ｅ）は、第４の実施形態に係る電気泳動表示装置の一画素の表示色の構成例を示す模式的な平面図である。
【図２０】（ａ）〜（ｆ）は、第４の実施形態の変形例に係る電気泳動表示装置の一画素の色構成例を示す模式的な平面図である。
【図２１】（ａ）は、電気泳動表示装置の下部基板１１に形成されたセル１３を表示面側から見た他の例を示す模式的な部分平面図であり、（ｂ）は、（ａ）に対応するＢＭ６の模式的な部分平面図である。
【図２２】隔壁１２によって下部電極３を遮蔽する場合の電気泳動表示装置の一構成例を示す模式的な部分縦断面図である。
【図２３】平面視で、上部透明電極２と下部電極３の一部が重なり合う場合の電気泳動表示装置の一構成例を示す模式的な部分縦断面図である。
【発明を実施するための形態】
【００３２】
以下、本発明の実施形態を図面に基づき説明する。
但し、以下に説明する実施形態は、あくまでも例示であり、以下に明示しない種々の変形や技術の適用を排除する意図はない。即ち、本発明は、その趣旨を逸脱しない範囲で種々変形（各実施形態を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００３３】
〔第１の実施形態〕
図１は、電気泳動表示装置を模式的に示す分解斜視図である。また、図２（ａ）は、電気泳動表示装置の一部を表示面側（視認側）から見た模式的な平面図であり、（ｂ）は、（ａ）におけるＡ−Ａ矢視断面図である。また、図３は、図２（ｂ）のＡ−Ａ矢視断面図における単位セル部分の拡大図である。
図１に示すように、本実施形態の電気泳動表示装置（ＥＰＤ）１は、下部基板１１と、下部基板１１の一方の面において複数の隔壁１２によって空間的に区画された複数のセル（凹部）１３と、各セル１３の開口部を塞ぐように各隔壁１２に接合される表示面層１８とを備えている。
【００３４】
下部基板１１には、ガラス基板を用いてもよいし、可撓性を有するシート状部材を用いてもよい。下部基板１１に可撓性を有するシート状部材を用いれば、例えば電子ペーパー等の変形自在な表示部を得ることが可能となる。可撓性を有するシート状部材の材料としては、例えば、ポリエステル、ポリオレフィン、液晶ポリマー、熱可塑性エラストマー等、またはこれらを主とする共重合体、ブレンド体、ポリマーアロイ等が挙げられ、これらのうちの１種または２種以上を混合して用いることができる。シート状部材の厚さは、ＥＰＤ１としての柔軟性と強度との調和を図りつつ、適宜に設定可能であり、非限定的な一例として、２０〜５００μｍ程度である。
【００３５】
隔壁１２は、下部基板１１の一方の面に所定パターンの壁部（凸部）を形成することで得ることができる。このような凸部を形成する方法の一例としては、インクジェット法（液滴吐出法）、スクリーン印刷法等の印刷法、フォトリソグラフィー法等が挙げられる。他の例として、下部基板１１上に凸部を成す材料の層を形成した後、この層を所定パターンに従って機械的、物理的又は化学的エッチング、あるいは、レーザ加工、型押し（エンボス）加工等の機械加工、ブラスト処理等することでも隔壁１２を形成することが可能である。
【００３６】
隔壁１２の材料としては、例示的に、エポキシ系樹脂、アクリル系樹脂、ウレタン系樹脂、メラミン系樹脂、フェノール系樹脂等の各種樹脂材料や、シリカ、アルミナ、チタニア等の各種セラミックス材料等が挙げられ、これらから選択された１種または２種以上を組み合わせて用いることができる。下部基板１１及び１７間の距離（隔壁１２の下部基板１１に垂直な方向の平均高さ）は、非限定的な一例として、１０〜５００μｍ程度である。
【００３７】
隔壁１２で囲まれた１つのセル１３は、例えば、画像等の表示単位である画素（ピクセル）に対応させることができる。各セル１３の開口部の形状は、三角形、四角形、六角形、円形、楕円形等いかなる形状であってもよい。例示的に、セル１３の開口部形状を六角形として、セルパターンをハニカム形状とすれば、ＥＰＤ１の表示部としての機械的強度を向上できる。
【００３８】
図２（ａ）及び図３に示すように、表示面層１８は、上部透明基板１７と、セル１３毎に上部透明基板１７のセル１３と対向する側の面に形成された上部透明電極２と、上部透明基板１７のセル１３と対向する側の面に形成されたブラックマトリクス６とから構成されている。
上部透明基板１７の材料としては、非限定的な一例として、ポリエチレンテレフタレートやポリカーボネートやポリエーテルサルフォン等のプラスチックフィルムの他、ガラスや石英等を使用することができる。
【００３９】
ブラックマトリクス６（以下、ＢＭ６と称す）は、上部透明基板１７における上部透明電極２の形成部分を除くセル１３と対向する領域に遮光性を有する黒色の膜が形成されたものである。
従って、図２（ｂ）に示す視認方向１００からセル１３の形成部分を平面視すると、図２（ｂ）に示すように、上部透明電極２を除く部分が全てＢＭ６の遮光膜部分（黒色）で覆われた状態となる。なお、遮光部材として遮光膜が黒色のＢＭ６を例に挙げたが、遮光膜は、遮光性能を有していれば黒色に限らない。
【００４０】
また、図２（ａ）及び図３に示すように、例示的に、表示面側とは反対側の各セル１３の内側の底面部には、その全域に白色反射層５Ｗが形成され、各セル１３における白色反射層５Ｗの上部には、視認方向１００から平面視で上部透明電極２と重ならない位置に下部電極３が形成されている。
なお、本実施形態では、下部基板１１の一方の面におけるセル１３の形成領域の全域に白色反射層５Ｗが形成されており、この白色反射層５Ｗの上部に複数の隔壁１２が形成され複数のセル１３が構成されている。
【００４１】
また、反射層を、例示的に白色反射層５Ｗとしたが、白色に限らず他の色としてもよい。
反射層は、例えば、下部基板１１の一方の面におけるセル１３の形成面上に、アルミニウム、銀、ニッケル、クロム、錫、タンタル、パラジウム、白金、イリジウム、ハフニウム、モリブデン等の金属材料、またはこれらの金属材料の１種または２種以上を含む合金（または混合物）を主材料として構成された薄膜を形成し、白色又は他の色に着色することで得られる。
また、反射層の形成方法としては、真空蒸着、スパッタリング、ＣＶＤなどの各種成膜方法が挙げられる。
【００４２】
また、下部電極３の構成材料としては、実質的に導電性を有するものであれば特に限定されず、例えば、銅、アルミニウム、ニッケル、コバルト、白金、金、銀、モリブデン、タンタルまたはこれらを含む合金等の金属材料、カーボンブラック、カーボンナノチューブ、フラーレン等の炭素系材料、ポリアセチレン、ポリピロール、ポリチオフェン、ポリアニリン、ポリ（ｐ−フェニレン）、ポリ（ｐ−フェニレンビニレン）、ポリフルオレン、ポリカルバゾール、ポリシランまたはこれらの誘導体等の電子導電性高分子材料、ポリビニルアルコール、ポリカーボネート、ポリエチレンオキシド、ポリビニルブチラール、ポリビニルカルバゾール、酢酸ビニル等のマトリックス樹脂中に、各種イオン性物質を分散させたイオン導電性高分子材料、インジウム錫酸化物（ＩＴＯ）、フッ素ドープした錫酸化物（ＦＴＯ）、錫酸化物（ＳｎＯ２）、インジウム酸化物（ＩＯ）等の導電性酸化物材料のような各種導電性材料が挙げられ、これらのうちの１種または２種以上を組み合わせて用いることができる。
【００４３】
その他、上部透明電極２及び下部電極３の構成材料としては、それぞれ、例えば、ガラス材料、ゴム材料、高分子材料等の導電性を有さない材料中に、金、銀、ニッケル、カーボン等の導電性材料（導電性粒子）を混合して、導電性を付加したような各種複合材料も使用することができる。
このような複合材料の具体例としては、例えば、ゴム材料中に導電性材料を混合した導電性ゴム、エポキシ系、ウレタン系、アクリル系等の接着剤組成物中に導電性材料を混合した導電性接着剤または導電性ペースト、ポリオレフィン、ポリ塩化ビニル、ポリスチレン、ＡＢＳ樹脂、ナイロン（ポリアミド）、エチレン酢酸ビニル共重合体、ポリエステル、アクリル系樹脂、エポキシ系樹脂、ウレタン系樹脂等のマトリックス樹脂中に導電性材料を混合した導電性樹脂等が挙げられる。
【００４４】
また、上部透明電極２の構成材料としては、上記材料のうち、透明性を有するものを用いることができる。
このような上部透明電極２及び下部電極３の平均厚さは、それぞれ、構成材料等により適宜設定され、特に限定されないが、０．０２〜１０μｍ程度であるのが好ましく、０．０５〜５μｍ程度であるのがより好ましい。
また、本実施形態において、各セル１３には、例示的に、所定の溶媒（分散媒）８に、負（−）に帯電され且つ黒色に着色された電気泳動粒子９Ｂｋを分散（懸濁）させた溶液（分散系）が供給される。なお、電気泳動粒子は、黒色に限らず、白色以外（厳密には反射層の色と異なる色）であれば、どのような色に着色してもよい。また、電気泳動粒子は負（−）帯電に限らず、正（＋）に帯電されていても良い。
【００４５】
分散系をセル１３内に供給する方法としては、例えば、セル１３の形成された下部基板１１を分散系に漬す方法、ディスペンサを用いた滴下法、インクジェット法（液滴吐出法）、スピンコート法、ディップコート法、スプレーコート法等の各種塗布法が挙げられる。滴下法、またはインクジェット法を用いれば、分散系を目的のセル１３に対して選択的に供給することができる。したがって、セル１３内に無駄なく、確実に分散系を供給することができる。なお、各セル１３に対して分散系を供給する方向は、必ずしも鉛直下方に限られない。側方又は鉛直上方でも供給可能である。
【００４６】
分散媒８としては、電着塗装あるいは静電映像用液体現像剤に用いられる溶媒、その他多くの液体を使用できる。例示的に、エタノール等のアルコール系溶剤、アミルアセテート等のエステル類、ターペンチン等のテルペン類、石油類等の脂肪系炭化水素、トルエン、ベンゼン等の芳香系炭化水素、アイソパー（エクソンモービル社製）等のイソパラフィン系炭化水素、ジメチルポリシロキサン等のシリコーンオイル、各種の油（疎水性の有機溶媒）を用いることができる。さらに、これらを適宜組み合わせて、着色して用いることもできる。着色には、アントラキノン系染料、アゾ系染料、インジゴイド系染料、トリフェニルメタン系染料等の各種染料を用いることができる。
【００４７】
電気泳動粒子としては、顔料粒子、樹脂粒子またはこれらの複合粒子のうちの少なくとも１種を用いることができる。
顔料粒子を組成する顔料としては、例えば、アニリンブラック、カーボンブラック、低次酸化チタン、亜クロム酸銅等の黒色顔料、酸化チタン、酸化アンチモン等の白色顔料、モノアゾ、ジスアゾ、ポリアゾ等のアゾ系顔料、イソインドリノン、黄鉛、黄色酸化鉄等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００４８】
また、樹脂粒子を組成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができ、かかる粒子は、白色粒子として用いることができる。また、カーボンブラック粒子またはその表面を被覆した粒子は、黒色粒子（電気泳動粒子９Ｂｋ）として用いることができる。
【００４９】
また、図２（ａ）では、例示的に、並置された３つのセル１３の左端と右端のセルにおいて、下部電極３に正（＋）の電圧が印加され且つ上部透明電極２がグランド（電圧の印加なし）となっている。そのため、負に帯電した電気泳動粒子９Ｂｋが下部電極３に引き寄せられた状態となっている。一方、中央のセル１３においては、上部透明電極２に正の電圧が印加され、下部電極３がグランドとなっているため、負に帯電した電気泳動粒子９Ｂｋが上部透明電極２に引き寄せられた状態となっている。
【００５０】
図４（ａ）は、下部基板１１に形成されたセル１３を表示面側から見た一例を示す模式的な部分平面図であり、（ｂ）は、（ａ）に対応するＢＭ６の模式的な部分平面図である。また、図５は、表示面層１８を模式的に示す分解斜視図である。また、図６は、各セル１３の開口部１４を表示面層１８で封止するときの両者の配置関係の一例を示す断面図である。
図４（ａ）に示すように、下部電極３は、各セル１３の底面部において、白色反射層５Ｗの上部に、表示面側から平面視して、同図中に斜線で示す領域を残して、該領域を取り囲む残りの領域の全域に亘って「ロ」字形状を成して配設（形成）されている。なお、セル１３の形状が平面視で正方形又は矩形状となっており且つ上部透明電極２の形状も正方形又は矩形状となっている。そのため、下部電極３は、「ロ」字形状を成しているが、セル１３の形状及び上部透明電極２の形状が、六角形状などの他の形状の場合はこの形状に限らない。
【００５１】
一方、ＢＭ６は、図４（ｂ）に示すように、上部透明電極２の形成領域として、同図中の斜線で示すように、図４（ａ）の斜線領域の面積以下の面積で且つ該斜線領域と同形状の空白部分６ｂを有している。この空白部分６ｂは、表示面層１８で各セル１３の開口部を封止したときに、図４（ａ）の斜線領域の内側に空白部分６ｂの全体が含まれるように配置されている。
【００５２】
更に、ＢＭ６は、図４（ｂ）の黒色部分に示すように、平面視で図４（ａ）に示す各セル１３の下部電極３及び隔壁１２の上部を含む領域を被覆できる面積及び形状の遮光膜６ａを有している。
ＢＭ６の材料としては、カーボンブラック、低次酸化チタン、酸化鉄、クロム、銀微粒子などを用いることができる。他に、金、白金族元素、またはこれらの合金、または前記いずれかの金属または合金に銀を添加した合金に、銅、ニッケル、鉄等の金属を添加し、酸化することにより、表面に密着性の良い黒色酸化物層を形成した黒色合金などを用いることができる。
【００５３】
このような形状をしたＢＭ６は、図５に示すように、上部透明基板１７の視認側とは反対側の面に形成される。更に、上部透明基板１７の視認側とは反対側の面に形成されたＢＭ６の空白部分６ｂには上部透明電極２が形成され、表示面層１８が構成される。
上記構成の表示面層１８は、図６に示すように、上部透明電極２及びＢＭ６の形成面側が、セル１３の隔壁１２の上部に接合されて、開口部１４を封止する。
【００５４】
そして、封止後は、上部透明電極２の全体がセル１３の底面部における白色反射層５Ｗと対向する位置に配された状態となる。更に、表示面層１８のＢＭ６の遮光膜６ａは、表示面側から平面視して、隔壁１２の上部及び下部電極３の双方を覆い隠すように配置される。
従って、図３に示すように、電気泳動粒子９Ｂｋが下部電極３に引き寄せられている状態で視認方向１００からセル１３の形成領域を平面視した場合に、上部透明基板１７及び上部透明電極２を透過して白色反射層５Ｗで反射された白色反射光を視認することができる。つまり、表示面が白色と知覚されることになる。一方、下部電極３及び電気泳動粒子９Ｂｋは、ＢＭ６の遮光膜６ａで被覆されているため、視認方向１００からは視認することができない。
図７（ａ）及び（ｂ）は、上部透明電極２及び下部電極３上に形成する絶縁膜７の形成例を示す図である。
【００５５】
本実施形態において、上部透明電極２は、自己に正の電圧が印加され下部電極３がグランドのときに、負に帯電した電気泳動粒子９Ｂｋを引き寄せる。また、下部電極３は、自己に正の電圧が印加され、上部透明電極２がグランドのときに、負に帯電した電気泳動粒子９Ｂｋを引き寄せる。そして、引き寄せられた電気泳動粒子９Ｂｋの一部は、上部透明電極２、又は下部電極３に接触する。このとき、上部透明電極２及び下部電極３が剥き出しのままだと、接触した電気泳動粒子９Ｂｋが電気泳動粒子の帯電と逆極性の電界を印加しても、電極に貼り付いたままの状態になる。これを防ぐために、本実施形態では、他の図面では図示しないが、上部透明電極２の表面と下部電極３の表面に絶縁体の薄膜である絶縁膜７を形成している。
【００５６】
絶縁膜７は、非限定的に、図７（ａ）に示すように、上部透明電極２とＢＭ６の双方と、下部電極３及び白色反射層５Ｗの双方とに形成してもよい。また、図７（ｂ）に示すように、上部透明電極２の表面のみと、下部電極３の表面のみとに形成してもよい。
但し、上部透明電極２に形成するため、絶縁膜７の形成材料として絶縁膜が透明となる材料を用いる。同様に白色反射層５Ｗに形成する場合も絶縁膜７は透明となる材料を用いる。
【００５７】
また、下部電極３については、絶縁膜７の材料を不透明なものとしてもよいので、上部透明電極２及び白色反射層５Ｗとに用いる絶縁膜の材料と、下部電極３に用いる絶縁膜の材料とを異なる組み合わせのものとしてもよい。但し、使用する絶縁膜の極性、或いは同一極性での極性の程度を考慮した際には、上部透明電極２及び白色反射層５Ｗとに用いる絶縁膜の材料と、下部電極３に用いる絶縁膜の材料とは同じものを用いた方が好ましい。
なお、絶縁膜７を白色反射層５Ｗにも形成することによって、絶縁膜７が保護層となり、白色反射層５Ｗが傷つくのを防ぐことができる。同様に、絶縁膜７をＢＭ６の表面にも形成することによって、ＢＭ６が傷つくのを防ぐことができる。
【００５８】
絶縁膜７の材料としては、非限定的に、ポリイミド、ポリメタクリル酸メチル、ポリビニルアルコールなどを用いることができる。他に、電気泳動粒子の泳動を妨げずに且つ上部透明電極２又は下部電極３に電気泳動粒子の帯電と逆極性の電界を印加しても、電気泳動粒子が電極に貼り付いたままの状態になるのを防止できる程度の絶縁性を有する薄膜を成膜可能な絶縁性材料であればどのようなものでも用いることができる。
【００５９】
また、図２（ａ）に示すように、下部基板１１には、例示的に、スイッチング素子として機能する薄膜トランジスタ（ＴＦＴ）や、上部透明電極２及び下部電極３に印加する電圧を制御する制御回路等を含む電気回路９１が設けられている。制御回路は、上部透明電極２及び下部電極３とそれぞれ電気的に接続されており、それぞれに印加する電圧の大きさ及び極性（正負）を個別に制御することができる。
なお、下部基板１１とは別に回路基板を設けて、上記した制御回路を回路基板に設けて、回路基板を下部基板１１の下側に貼り付ける構成としてもよい。
【００６０】
また、電気泳動粒子９Ｂｋの比重は、それぞれ、分散媒８の比重とほぼ等しくなるように設定されているのが好ましい。これにより、電気泳動粒子９Ｂｋは、上部透明電極２及び下部電極３間への電圧の印加を停止した後においても、分散媒中において一定の位置に長時間滞留することができる。
すなわち、このような電気泳動表示装置１は、上部透明電極２及び下部電極３間に電圧を印加した際の表示状態を、電圧の印加を止めた後でも維持し得る性質（双安定性）を有するものである。
【００６１】
かかる性質（双安定性）を有する電気泳動表示装置１では、表示の切り替え時のみ、上部透明電極２及び下部電極３間に電圧を印加すればよいため、消費電力を大幅に低減することが可能となる。また、電気泳動粒子が安定的に泳動するため、電圧を小刻みに印加する等、多様なパターンで電圧を印加することができ、電気泳動粒子の泳動をより複雑に制御することが可能となる。このため、表示品位の向上を図ることができる。
【００６２】
次に、図８に基づき、電気泳動表示装置１の動作について説明する。
図８（ａ）〜（ｃ）は、電気泳動装置１の動作を説明する断面図である。
≪白色表示状態≫
まず、表示色として白色（白色反射層５Ｗの色彩）が視認される状態について説明する。
上部透明電極２がグランド、下部電極３が正電位となるように、上部透明電極２及び下部電極３間に電圧を印加すると、上部透明電極２の端部と下部電極３の端部との間で、縦斜め方向の電界（フリンジ電界）が生じる。このフリンジ電界の作用により、例えば、図８（ｃ）の状態であった電気泳動粒子９Ｂｋ（以下、黒色粒子９Ｂｋと称す）が分散媒８中を泳動する。
【００６３】
具体的には、黒色粒子９Ｂｋは、負に帯電した粒子であるため、図８（ａ）中の矢印方向（斜め下方向）に示すように、つまり正電位となっている下部電極３に電気的に吸着されるように、下部電極３側に向けて泳動する。
このような電圧印加状態（電界発生状態）を維持すると、図８（ａ）に示すように、黒色粒子９Ｂｋが、全て下部電極３に吸着した状態となる。
これにより、上部透明電極２を介して白色反射層５Ｗの色が視認され、白色表示状態となる。
一方の下部電極３に吸着した黒色粒子９Ｂｋは、視認側から平面視してＢＭ６の遮光膜６ａによって被覆されている。このような状態では、視認側から入射した下部電極３に向かう光がＢＭ６において遮断されるため、電気泳動表示装置１の使用者は、白色反射層５Ｗによる反射光のみを視認することになる。
【００６４】
≪黒色表示状態≫
次に、表示色として黒色（黒色粒子９Ｂｋの色彩）が視認される状態について説明する。
例えば、前述した白色表示状態とした後に、上部透明電極２が正電位、下部電極３がグランドとなるように、上部透明電極２及び下部電極３間に電圧を印加する。すると、上部透明電極２の端部と下部電極３の端部との間で、縦斜め方向（白色表示のときとは逆方向）の電界（フリンジ電界）が生じる。このフリンジ電界の作用により、黒色粒子９Ｂｋが分散媒８中を泳動する。
【００６５】
具体的には、黒色粒子９Ｂｋは、図８（ｂ）中の矢印方向（斜め下方向）に示すように、つまり正電位となっている上部透明電極２に電気的に吸着されるように、下部電極３から上部透明電極２側に向けて泳動する。
このような電圧印加状態を維持すると、図８（ｃ）に示すように、黒色粒子９Ｂｋは、上部透明電極２付近に集合する。これにより、上部透明電極２を介して黒色粒子９Ｂｋの色が視認され、黒色表示状態となる。なお、黒色粒子９Ｂｋは、光をほとんど透過しないため、白色反射層５Ｗにより表示コントラストが損なわれるおそれはない。
【００６６】
このように、黒色粒子９Ｂｋの泳動を、一画素を形成するセル１３ごとに制御することによって、電気泳動表示装置１の表示面側には、白色反射層５Ｗ及び黒色粒子９Ｂｋによる反射光に基づいて、所望の情報（画像）が表示される。
以上、本実施形態に係る電気泳動表示装置は、白色反射層５Ｗの白色と電気泳動粒子９Ｂｋの黒色とで２種類の色表示（白黒表示）を行うことができるので、制御する粒子を１種類とすることができる。これにより、粒子の制御を簡易に行うことができる。
【００６７】
また、上部透明電極２と下部電極３とを平面視で重ならないように設けたので、異なる色の積層による混色の発生を低減することができる。これにより、簡易な構成で、白色反射層５Ｗからの光反射効率を高めることができるので、高コントラストな表示を行うことができる。
また、上部透明電極２と下部電極３との間でフリンジ電界（縦斜め方向の電界）を発生させて電気泳動粒子９Ｂｋを縦斜め方向に泳動させることができるので、電気泳動粒子に電荷の偏りが生じるのを低減することができる。
【００６８】
〔第２の実施形態〕
次に、本発明に係る電気泳動表示装置の第２の実施形態について説明する。
図９〜図１３は、本発明に係る電気泳動表示装置の第２の実施形態を模式的に示す図である。
本実施形態に係る電気泳動表示装置は、下部電極３をそれぞれが独立した下部電極３Ａ及び３Ｂの２種類の電極で構成し、各セル１３に封入する電気泳動粒子として、負に帯電した黒色粒子９Ｂｋに加えて、正に帯電した、赤色粒子９Ｒ、緑色粒子９Ｇ及び青色粒子９Ｂのうちいずれか１種類を加えて各単位セルによって３種類のサブピクセルを構成する点で上記第１の実施形態と異なる。
【００６９】
更に、本実施形態に係る電気泳動表示装置は、上記３種類のサブピクセルを連接し、これら３種類のサブピクセルで一画素を構成する点で上記第１の実施形態と異なる。これら以外は、上記第１の実施形態と同様となる。
従って、以下、第２の実施形態に係る電気泳動表示装置について説明するが、上記第１の実施形態との相違点を中心に説明し、同様の事項については、その説明を省略する。
【００７０】
図９（ａ）〜（ｃ）は、第２の実施形態に係る電気泳動表示装置の３種類のサブピクセル部の縦断面図である。また、図１０（ａ）は、第２の実施形態に係る電気泳動表示装置の下部基板１１に形成されたセル１３を表示面側から見た一例を示す模式的な部分平面図であり、（ｂ）は、（ａ）に対応するＢＭ６の模式的な部分平面図である。また、図１１（ａ）〜（ｃ）は、白色及び黒色表示時の電気泳動装置の動作を説明する断面図である。また、図１２（ａ）〜（ｃ）は、白色及び赤色表示時の電気泳動装置の動作を説明する断面図である。また、図１３（ａ）〜（ｆ）は、第２の実施形態に係る電気泳動表示装置の一画素の表示色の構成例を示す模式的な平面図である。
【００７１】
本実施形態に係る電気泳動表示装置は、図９（ａ）〜（ｃ）に示すように、上記第１の実施形態に係る電気泳動表示装置１における複数のセル１３の各３つのセル１３によって構成されるサブピクセル部３０Ａ〜３０Ｃを備えている。
サブピクセル部３０Ａ〜３０Ｃ（以下、ＳＰ部３０Ａ〜３０Ｃと称す）は、各々が下部電極３Ａ及び３Ｂの２種類の電極を備えている。更に、各セル１３が、黒色粒子９Ｂｋに加えて、赤色、緑色及び青色に着色された電気泳動粒子９Ｒ、９Ｇ及び９Ｂうち、ＳＰ部３０Ａ〜３０Ｃにおいて互いに異なる一色の粒子を備えている。
【００７２】
本実施形態において、ＳＰ部３０Ａ〜３０Ｃの組は、これら３つで一画素（ピクセル）を構成するようになっている。そして、ＳＰ部３０Ａ〜３０Ｃの組は複数組が、上記第１の実施形態と同様の形成方法によって、基板１１の一方の面に形成された白色反射層５Ｗの上部に形成される。このとき、ＳＰ部３０Ａ〜３０Ｃの各組は所定位置関係で連接するように形成される。具体的に、各隣接するＳＰ部同士で前記追加色が異なる色となるように形成される。
【００７３】
ＳＰ部３０Ａ〜３０Ｃの各セル１３における白色反射層５Ｗの上部には、平面視で上部透明電極２と重ならない位置に、互いに独立した下部電極３Ａ及び３Ｂが形成されている。
下部電極３Ａ及び３Ｂの構成材料としては、上記第１の実施形態の下部電極３と同様の材料を用いることができる。
本実施形態において、ＳＰ部３０Ａの各セル１３には、分散媒８に、負（−）に帯電され且つ黒色に着色された電気泳動粒子９Ｂｋと、正（＋）に帯電され且つ赤色に着色された電気泳動粒子９Ｒとを分散（懸濁）させた分散系が供給される。
【００７４】
また、ＳＰ部３０Ｂの各セル１３には、分散媒８に、負（−）に帯電され且つ黒色に着色された電気泳動粒子９Ｂｋと、正（＋）に帯電され且つ緑色に着色された電気泳動粒子９Ｇとを分散（懸濁）させた分散系が供給される。
また、ＳＰ部３０Ｃの各セル１３には、分散媒８に、負（−）に帯電され且つ黒色に着色された電気泳動粒子９Ｂｋと、正（＋）に帯電され且つ青色に着色された電気泳動粒子９Ｂとを分散（懸濁）させた分散系が供給される。
【００７５】
また、本実施形態において、下部電極３Ａ及び３Ｂは、図１０（ａ）に示すように、各セル１３の底面部において、白色反射層５Ｗの上部に、表示面側から平面視して、同図中に斜線で示す領域を残して、該領域の左の領域に下部電極３Ａが右の領域に下部電極３Ｂがそれぞれ矩形状を成して配設（形成）されている。なお、セル１３の形状が平面視で正方形又は矩形状となっており且つ上部透明電極２の形状も正方形又は矩形状となっている。そのため、下部電極３Ａ及び３Ｂは矩形状を成しているが、セル１３の形状及び上部透明電極２の形状が、六角形状などの他の形状の場合はこの形状に限らない。
【００７６】
一方、ＢＭ６は、図１０（ｂ）に示すように、上部透明電極２の形成領域として、同図中の斜線で示すように、図１０（ａ）の斜線領域の面積以下の面積で且つ該斜線領域と同形状の空白部分６ｂを有している。この空白部分は、表示面層１８で各セル１３の開口部を封止したときに、図１０（ａ）の斜線領域の内側に空白部分６ｂの全体が含まれるように配置されている。
更に、ＢＭ６は、図１０（ｂ）の黒色部分に示すように、平面視で図１０（ａ）に示す各セル１３の下部電極３Ａ、３Ｂ及び隔壁１２の上部を含む領域を被覆できる面積及び形状の遮光膜６ａを有している。
【００７７】
次に、図１１及び図１２に基づき、本実施形態の電気泳動表示装置１の動作について説明する。ここで、ＳＰ部３０Ａ〜３０Ｃは、制御する電気泳動粒子の色が異なるのみで各ＳＰ部の制御内容は同様となる。従って、以下、代表してＳＰ部３０Ａについて動作を説明する。
≪白色表示状態≫
まず、表示色として白色（白色反射層５Ｗの色彩）が視認される状態について説明する。
上部透明電極２Ａがグランド、下部電極３Ａが負電位、及び下部電極３Ｂが正電位となるように、上部透明電極２Ａ及び下部電極３Ａ及び３Ｂ間に電圧を印加する。そうすると、上部透明電極２Ａの左端部と下部電極３Ａの右端部との間で縦斜め方向の電界（第１のフリンジ電界）が生じる。更に、上部透明電極２Ａの右端部と下部電極３Ｂの左端部との間で縦斜め方向（第１のフリンジ電界とは逆方向）の電界（第２のフリンジ電界）が生じる。この第１及び第２のフリンジ電界の作用により、電気泳動粒子９Ｒ（以下、赤色粒子９Ｒと称す）は、正に帯電した粒子であるため、負電位となっている下部電極３Ａに電気的に吸着される。一方、黒色粒子９Ｂｋは、負に帯電した粒子であるため、正電位となっている下部電極３Ｂに電気的に吸着される。
【００７８】
このような電圧印加状態（電界発生状態）を維持すると、図１１（ａ）に示すように、赤色粒子９Ｒが、全て下部電極３Ａに吸着し、黒色粒子９Ｂｋが、全て下部電極３Ｂに吸着した状態となる。
これにより、上部透明電極２Ａを介して白色反射層５Ｗの色が視認され、白色表示状態となる。
【００７９】
一方、下部電極３Ａに吸着した赤色粒子９Ｒと、下部電極３Ｂに吸着した黒色粒子９Ｂｋとは、視認側から平面視してＢＭ６の遮光膜６ａによって被覆されている。このような状態では、視認側から入射した下部電極３Ａ及び３Ｂに向かう光がＢＭ６において遮断されるため、電気泳動表示装置１の使用者は、白色反射層５Ｗによる反射光のみを視認することになる。
【００８０】
≪黒色表示状態≫
次に、表示色として黒色（黒色粒子９Ｂｋの色彩）が視認される状態について説明する。
例えば、前述した白色表示状態とした後に、上部透明電極２Ａが正電位、下部電極３Ａ及び３Ｂが負電位となるように、上部透明電極２Ａ及び下部電極３Ａ及び３Ｂ間に電圧を印加する。すると、上部透明電極２Ａの左端部と下部電極３Ａの右端部との間で縦斜め方向（白色表示のときと同方向）の電界（第１のフリンジ電界）が生じる。一方、上部透明電極２Ａの右端部と下部電極３Ｂの左端部との間で縦斜め方向（白色表示のときと逆方向）の電界（第２のフリンジ電界）が生じる。
【００８１】
第１のフリンジ電界の作用により、赤色粒子９Ｒが下部電極３Ａに吸着された状態を維持し、第２のフリンジ電界の作用により、黒色粒子９Ｂｋが分散媒８中を泳動する。
具体的には、黒色粒子９Ｂｋは、図１１（ｂ）中の矢印方向（左斜め上方向）に示すように、つまり正電位となっている上部透明電極２Ａに電気的に吸着されるように、下部電極３Ｂから上部透明電極２側に向けて泳動する。
このような電圧印加状態を維持すると、図１１（ｃ）に示すように、黒色粒子９Ｂｋは、上部透明電極２Ａ付近に集合する。これにより、上部透明電極２Ａを介して黒色粒子９Ｂｋの色が視認され、黒色表示状態となる。なお、黒色粒子９Ｂｋは、光をほとんど透過しないため、白色反射層５Ｗにより表示コントラストが損なわれるおそれはない。
【００８２】
≪赤色表示状態≫
次に、表示色として赤色（赤色粒子９Ｒの色彩）が視認される状態について説明する。
例えば、図１２（ａ）に示すように、前述したのと同様に白色表示状態とした後に、上部透明電極２Ａが負電位、下部電極３Ａ及び３Ｂが正電位となるように、上部透明電極２Ａ及び下部電極３Ａ及び３Ｂ間に電圧を印加する。すると、上部透明電極２Ａの左端部と下部電極３Ａの右端部との間で縦斜め方向（黒色表示のときとは逆方向）の電界（第１のフリンジ電界）が生じる。一方、上部透明電極２Ａの右端部と下部電極３Ｂの左端部との間で縦斜め方向（黒色表示のときとは逆方向）の電界（第２のフリンジ電界）が生じる。
【００８３】
第１のフリンジ電界の作用により、赤色粒子９Ｒが分散媒８中を泳動し、第２のフリンジ電界の作用により、黒色粒子９Ｂｋが下部電極３Ｂに吸着された状態を維持する。
具体的には、赤色粒子９Ｒは、図１２（ｂ）中の矢印方向（右斜め上方向）に示すように、つまり負電位となっている上部透明電極２Ａに電気的に吸着されるように、下部電極３Ａから上部透明電極２Ａ側に向けて泳動する。
【００８４】
このような電圧印加状態を維持すると、図１２（ｃ）に示すように、赤色粒子９Ｒは、上部透明電極２Ａ付近に集合する。これにより、上部透明電極２Ａを介して赤色粒子９Ｒの色が視認され、赤色表示状態となる。
ＳＰ部３０Ｂ又はＳＰ部３０Ｃの場合は、上記赤色表示が緑色表示又は青色表示となる。
このように、各画素を構成する、ＳＰ部３０Ａの黒色粒子９Ｂｋ及び赤色粒子９Ｒの泳動、ＳＰ部３０Ｂの黒色粒子９Ｂｋ及び緑色粒子９Ｇの泳動及びＳＰ部３０Ｃの黒色粒子９Ｂｋ及び青色粒子９Ｂの泳動を個別に制御することができる。
【００８５】
これにより、本実施形態に係る電気泳動表示装置１の表示面側には、図１３（ａ）〜（ｆ）に例示的に示すように、ＳＰ部３０Ａ〜３０Ｃの上部透明電極２Ａ〜２Ｃを通して、様々な色表示を行うことができる。
例えば、図１３（ａ）〜（ｃ）に示すように、赤色粒子９Ｒ（２Ａ）、緑色粒子９Ｇ（２Ｂ）及び青色粒子９Ｂ（２Ｃ）の混色表示、白色反射層５Ｗ（２Ａ〜２Ｃ）のみによる白色表示、黒色粒子９Ｂｋのみ（２Ａ〜２Ｃ）による黒色表示を行うことができる。
【００８６】
また、例えば、図１３（ｄ）〜（ｆ）に示すように、赤色粒子９Ｒ（２Ａ）、白色反射層５Ｗ（２Ｂ）及び青色粒子９Ｂ（２Ｃ）による混色表示、赤色粒子９Ｒ（２Ａ）、緑色粒子９Ｇ（２Ｂ）及び白色反射層５Ｗ（２Ｃ）の混色表示、白色反射層５Ｗ（２Ａ）、緑色粒子９Ｇ（２Ｂ）及び青色粒子９Ｂ（２Ｃ）による混色表示を行うことができる。
他にも、例えば、図１３（ｄ）〜（ｆ）における、白色反射層５Ｗを黒色粒子９Ｂｋに置き換えた混色表示を行うこともできる。
従って、本実施形態に係る電気泳動表示装置は、白色反射層５Ｗ、黒色粒子９Ｂｋ、赤色粒子９Ｒ、緑色粒子９Ｇ及び青色粒子９Ｂによる反射光に基づいて、各画素のＳＰ部３０Ａ〜３０ＣのＲＧＢのカラー表示によって、所望の情報（画像）を表示することができる。
【００８７】
なお、上記ＳＰ部３０Ａ〜３０Ｃにおける、赤色粒子９Ｒをシアン色に着色された電気泳動粒子であるシアン色粒子９Ｃｙに、緑色粒子９Ｇをマゼンタ色に着色された電気泳動粒子であるマゼンタ色粒子９Ｍｇに、青色粒子９Ｂをイエロー色（黄色）に着色された電気泳動粒子である黄色粒子９Ｙｅにそれぞれ置換した構成としてもよい。
この場合は、赤色、緑色及び青色の加法混色とは異なり、シアン色、マゼンタ色及びイエロー色による減法混色によるカラー表示によって、所望の情報（画像）を表示することができる。
【００８８】
〔第２の実施形態の変形例〕
次に、本発明に係る電気泳動表示装置の第２の実施形態の変形例について説明する。
本変形例に係る電気泳動表示装置は、上記第２の実施形態のＳＰ部３０Ａ〜３０Ｃに加えて、下部電極３を互いに独立した下部電極３Ａ及び３Ｂの２種類の電極で構成し、各セル１３に封入する電気泳動粒子として、負に帯電した黒色粒子９Ｂｋのみを封入したＳＰ部３０Ｄを含む４種類のＳＰ部を備える点で上記第１及び第２の実施形態と異なる。
【００８９】
更に、本変形例に係る電気泳動表示装置は、上記４種類のＳＰ部３０Ａ〜３０Ｄを所定の位置関係で連接し、これら４種類のサブピクセルで一画素を構成する点で上記第２の実施形態と異なる。これら以外は、上記第２の実施形態と同様となる。
従って、以下、第２の実施形態の変形例に係る電気泳動表示装置について説明するが、上記第２の実施形態との相違点を中心に説明し、同様の事項については、その説明を省略する。
【００９０】
図１４（ａ）〜（ｇ）は、第２の実施形態の変形例に係る電気泳動表示装置の一画素の色構成例を示す模式的な平面図である。
本変形例に係る電気泳動表示装置は、上記第２の実施形態の電気泳動表示装置の３種類のＳＰ部３０Ａ〜３０Ｃに加えて、ＳＰ部３０Ａ〜３０Ｃと同様の構成において、そのセル１３内に黒色粒子９Ｂｋのみを封入したＳＰ部３０Ｄを備えている（図示省略）。
本変形例において、ＳＰ部３０Ａ〜３０Ｄの組は、これら４つで一画素（ピクセル）を構成するようになっている。そして、ＳＰ部３０Ａ〜３０Ｄの組は複数組が、上記第１の実施形態と同様の形成方法によって、基板１１の一方の面に形成された白色反射層５Ｗの上部に形成される。このとき、ＳＰ部３０Ａ〜３０Ｄの各組は所定位置関係で連接するように形成される。具体的に、各隣接するＳＰ部が異なるＳＰ部となるように形成される。
【００９１】
ＳＰ部３０Ａ〜３０Ｄの各セル１３における白色反射層５Ｗの上部には、平面視で上部透明電極２と重ならない位置に、互いに独立した下部電極３Ａ及び３Ｂが形成されている。
下部電極３Ａ及び３Ｂの構成材料としては、上記第１の実施形態の下部電極３と同様の材料を用いることができる。
本変形例において、ＳＰ部３０Ｄの各セル１３には、分散媒８に、負（−）に帯電され且つ黒色に着色された電気泳動粒子９Ｂｋを分散（懸濁）させた分散系が供給される。
【００９２】
次に、本変形例に係る電気泳動表示装置の動作について説明する。ここで、ＳＰ部３０Ａ〜３０Ｃは、上記第２の実施形態と同様の制御内容となるので説明を省略する。従って、以下、ＳＰ部３０Ｄについて動作を説明する。
≪白色表示状態≫
まず、表示色として白色（白色反射層５Ｗの色彩）が視認される状態について説明する。
上部透明電極２Ｄがグランド、下部電極３Ａ及び３Ｂが正電位となるように、上部透明電極２Ｄ及び下部電極３Ａ及び３Ｂ間に電圧を印加する。そうすると、上部透明電極２Ｄの左端部と下部電極３Ａの右端部との間で縦斜め方向の電界（第１のフリンジ電界）が生じる。更に、上部透明電極２Ｄの右端部と下部電極３Ｂの左端部との間で縦斜め方向（第１のフリンジ電界と同方向）の電界（第２のフリンジ電界）が生じる。この第１及び第２のフリンジ電界の作用により、黒色粒子９Ｂｋは、負に帯電した粒子であるため、正電位となっている下部電極３Ａ及び３Ｂに電気的に吸着される。
【００９３】
このような電圧印加状態（電界発生状態）を維持すると、上記第１実施形態の図８（ａ）と同様に、黒色粒子９Ｂｋが、全て下部電極３Ａ及び３Ｂに吸着した状態となる。
これにより、上部透明電極２Ｄを介して白色反射層５Ｗの色が視認され、白色表示状態となる。
一方、下部電極３Ａ及び３Ｂに吸着した黒色粒子９Ｂｋは、視認側から平面視してＢＭ６の遮光膜６ａによって被覆されている。このような状態では、視認側から入射した下部電極３Ａ及び３Ｂに向かう光がＢＭ６において遮断されるため、電気泳動表示装置１の使用者は、白色反射層５Ｗによる反射光のみを視認することになる。
【００９４】
≪黒色表示状態≫
次に、表示色として黒色（黒色粒子９Ｂｋの色彩）が視認される状態について説明する。
例えば、前述した白色表示状態とした後に、上部透明電極２Ｄが正電位、下部電極３Ａ及び３Ｂが負電位となるように、上部透明電極２Ｄ及び下部電極３Ａ及び３Ｂ間に電圧を印加する。すると、上部透明電極２Ｄの左端部と下部電極３Ａの右端部との間で縦斜め方向（白色表示のときとは逆方向）の電界（第１のフリンジ電界）が生じる。一方、上部透明電極２の右端部と下部電極３Ｂの左端部との間で縦斜め方向（白色表示のときと同方向）の電界（第２のフリンジ電界）が生じる。
【００９５】
第１のフリンジ電界及び第２のフリンジ電界の作用により、黒色粒子９Ｂｋが分散媒８中を泳動する。
具体的には、黒色粒子９Ｂｋは、第１の実施形態のときと同様に図８（ｂ）中の左側の矢印方向（右斜め上方向）に示すように、つまり正電位となっている上部透明電極２Ｄに電気的に吸着されるように、下部電極３Ａ及び３Ｂから上部透明電極２Ｄ側に向けて泳動する。
このような電圧印加状態を維持すると、図８（ｃ）に示すのと同様に、黒色粒子９Ｂｋは、上部透明電極２Ｄ付近に集合する。これにより、上部透明電極２Ｄを介して黒色粒子９Ｂｋの色が視認され、黒色表示状態となる。なお、黒色粒子９Ｂｋは、光をほとんど透過しないため、白色反射層５Ｗにより表示コントラストが損なわれるおそれはない。
【００９６】
これにより、本変形例に係る電気泳動表示装置１の表示面側には、図１４（ａ）〜（ｇ）に例示的に示すように、ＳＰ部３０Ａ〜３０Ｄの上部透明電極２Ａ〜２Ｄを通して、様々な色表示を行うことができる。
例えば、図１４（ａ）〜（ｂ）に示すように、赤色粒子９Ｒ（２Ａ）、緑色粒子９Ｇ（２Ｂ）、青色粒子９Ｂ（２Ｃ）及び白色反射板５Ｗ（２Ｄ）の混色表示、赤色粒子９Ｒ（２Ａ）、緑色粒子９Ｇ（２Ｂ）、青色粒子９Ｂ（２Ｃ）及び黒色粒子９Ｂｋ（２Ｄ）の混色表示を行うことができる。
【００９７】
また、例えば、図１４（ｃ）〜（ｄ）に示すように、白色反射層５Ｗのみ（２Ａ〜２Ｄ）による白色表示、黒色粒子９Ｂｋのみ（２Ａ〜２Ｄ）による黒色表示を行うことができる。
また、例えば、図１４（ｅ）に示すように、赤色粒子９Ｒ（２Ａ）、緑色粒子９Ｇ（２Ｂ）及び残り２つ（２Ｃ及び２Ｄ）を白色反射板５Ｗとした混色表示を行うことができる。
また、例えば、図１４（ｆ）〜（ｇ）に示すように、赤色粒子９Ｒ（２Ａ）、青色粒子９Ｂ（２Ｃ）及び残り２つ（２Ｂ及び２Ｄ）を白色反射板５Ｗとした混色表示、緑色粒子９Ｇ（２Ｂ）、青色粒子９Ｂ（２Ｃ）及び残り２つ（２Ａ及び２Ｄ）を白色反射板５Ｗとした混色表示を行うことができる。
【００９８】
他にも、例えば、図１４（ｅ）〜（ｇ）において、白色反射層５Ｗを黒色粒子９Ｂｋとした混色表示なども可能である。
従って、本変形例に係る電気泳動表示装置は、白色反射層５Ｗ、黒色粒子９Ｂｋ、赤色粒子９Ｒ、緑色粒子９Ｇ及び青色粒子９Ｂによる反射光に基づいて、各画素の３つのＳＰ部３０Ａ〜３０Ｃのカラー表示及び残り１つのＳＰ部３０Ｄの白黒表示の組み合わせによって、所望の情報（画像）を表示することができる。
【００９９】
なお、上記ＳＰ部３０Ａ〜３０Ｃにおける、赤色粒子９Ｒをシアン色に着色された電気泳動粒子であるシアン色粒子９Ｃｙに、緑色粒子９Ｇをマゼンタ色に着色された電気泳動粒子であるマゼンタ色粒子９Ｍｇに、青色粒子９Ｂをイエロー色（黄色）に着色された電気泳動粒子である黄色粒子９Ｙｅにそれぞれ置換した構成としてもよい。
この場合は、赤色、緑色及び青色の加法混色とは異なり、シアン色、マゼンタ色及びイエロー色による減法混色によるカラー表示及び白黒表示の組み合わせによって、所望の情報（画像）を表示することができる。
【０１００】
〔第３の実施形態〕
次に、本発明に係る電気泳動表示装置の第３の実施形態について説明する。
図１５〜図１６は、本発明に係る電気泳動表示装置の第３の実施形態を模式的に示す図である。
本実施形態に係る電気泳動表示装置は、下部電極３を互いに独立した下部電極３Ａ及び３Ｂの２種類の電極で構成し、各セル１３に封入する電気泳動粒子として、負に帯電した黒色粒子９Ｂｋに加えて、正に帯電した白色に着色された電気泳動粒子９Ｗを封入した点で上記第１及び第２の実施形態と異なる。
【０１０１】
更に、各セル１３の白色反射層５Ｗを、赤色、緑色及び青色のうちいずれか１色の反射色光を反射する反射層とした３種類のサブピクセルを備える点で上記第１及び第２の実施形態と異なる。
更に、本実施形態に係る電気泳動表示装置は、上記３種類のサブピクセルを連接し、これら３種類のサブピクセルで一画素を構成する点で上記第１の実施形態と異なる。これら以外は、上記第１及び第２の実施形態と同様となる。
従って、以下、第３の実施形態に係る電気泳動表示装置について説明するが、上記第１及び第２の実施形態との相違点を中心に説明し、同様の事項については、その説明を省略する。
【０１０２】
図１５（ａ）〜（ｃ）は、第３の実施形態に係る電気泳動表示装置の３種類のサブピクセル部の縦断面図である。また、図１６（ａ）〜（ｃ）は、赤色、黒色及び白色表示時の電気泳動装置の動作を説明する断面図である。
本実施形態に係る電気泳動表示装置は、図１５（ａ）〜（ｃ）に示すように、上記第１の実施形態に係る電気泳動表示装置１における複数のセル１３の各３つのセル１３によって構成されるサブピクセル部３１Ａ〜３１Ｃを備えている。
【０１０３】
サブピクセル部３１Ａ〜３１Ｃ（以下、ＳＰ部３１Ａ〜３１Ｃと称す）は、各々が下部電極３Ａ及び３Ｂの２種類の電極を備えている。更に、各々のセル１３内に、黒色粒子９Ｂｋに加えて、白色に着色された電気泳動粒子９Ｗ（以下、白色粒子９Ｗと称す）を備えた構成となっている。更に、各セル１３の反射層が白色反射層５Ｗに代えて、赤色の反射色光の赤色反射層５Ｒ、緑色の反射色光の緑色反射層５Ｇ及び青色の反射色光の青色反射層５Ｂのうち、ＳＰ部３１Ａ〜３１Ｃで相互に異なる色の反射層で構成されている。
【０１０４】
具体的に、ＳＰ部３１Ａが赤色反射層５Ｒを備え、ＳＰ部３１Ｂが緑色反射層５Ｇを備え、ＳＰ部３１Ｃが青色反射層５Ｂを備えている。
本実施形態において、ＳＰ部３１Ａ〜３１Ｃの組は、これら３つで一画素（ピクセル）を構成するようになっている。そして、ＳＰ部３１Ａ〜３１Ｃの組は複数組が、上記第１の実施形態と同様の形成方法によって、基板１１の一方の面に形成される。
【０１０５】
但し、本実施形態では、反射層の色が複数種類あるため、赤色反射層５Ｒ、緑色反射層５Ｇ及び青色反射層５Ｂはセル１３毎に形成される。このとき、ＳＰ部３１Ａ〜３１Ｃの各組は、上記第２の実施形態のＳＰ部３０Ａ〜３０Ｃと同様に所定位置関係で連接するように形成される。具体的に、各隣接するＳＰ部同士の反射層の反射色光が異なる色のものとなるように形成される。
【０１０６】
ＳＰ部３１Ａ〜３１Ｃの各セル１３における赤色反射層５Ｒ、緑色反射層５Ｇ及び青色反射層５Ｂの上部には、それぞれ平面視で上部透明電極２と重ならない位置に、互いに独立した下部電極３Ａ及び３Ｂが形成されている。
下部電極３Ａ及び３Ｂの構成材料としては、上記第１の実施形態の下部電極３と同様の材料を用いることができる。
本実施形態において、ＳＰ部３１Ａ〜３１Ｃの各セル１３には、分散媒８に、負（−）に帯電され且つ黒色に着色された電気泳動粒子９Ｂｋと、正（＋）に帯電され且つ白色に着色された電気泳動粒子９Ｗとを分散（懸濁）させた分散系が供給される。
【０１０７】
次に、図１６に基づき、本実施形態の電気泳動表示装置１の動作について説明する。ここで、ＳＰ部３１Ａ〜３１Ｃは、反射層の色が異なるのみで各ＳＰ部の制御内容は同様となる。従って、以下、代表してＳＰ部３１Ａについて動作を説明する。
≪赤色表示状態≫
まず、表示色として赤色（赤色反射層５Ｒの色彩）が視認される状態について説明する。
上部透明電極２Ａがグランド、下部電極３Ａが負電位、及び下部電極３Ｂが正電位となるように、上部透明電極２Ａ及び下部電極３Ａ及び３Ｂ間に電圧を印加する。そうすると、上部透明電極２Ａの左端部と下部電極３Ａの右端部との間で縦斜め方向の電界（第１のフリンジ電界）が生じる。更に、上部透明電極２Ａの右端部と下部電極３Ｂの左端部との間で縦斜め方向（第１のフリンジ電界とは逆方向）の電界（第２のフリンジ電界）が生じる。この第１及び第２のフリンジ電界の作用により、電気泳動粒子９Ｗ（以下、白色粒子９Ｗと称す）は、正に帯電した粒子であるため、負電位となっている下部電極３Ａに電気的に吸着される。一方、黒色粒子９Ｂｋは、負に帯電した粒子であるため、正電位となっている下部電極３Ｂに電気的に吸着される。
【０１０８】
このような電圧印加状態（電界発生状態）を維持すると、図１６（ａ）に示すように、白色粒子９Ｗが、全て下部電極３Ａに吸着し、黒色粒子９Ｂｋが、全て下部電極３Ｂに吸着した状態となる。
これにより、上部透明電極２Ａを介して赤色反射層５Ｒの色が視認され、赤色表示状態となる。
【０１０９】
一方、下部電極３Ａに吸着した白色粒子９Ｗと、下部電極３Ｂに吸着した黒色粒子９Ｂｋとは、視認側から平面視してＢＭ６の遮光膜６ａによって被覆されている。このような状態では、視認側から入射した下部電極３Ａ及び３Ｂに向かう光がＢＭ６において遮断されるため、電気泳動表示装置の使用者は、赤色反射層５Ｒによる反射光のみを視認することになる。
【０１１０】
≪黒色表示状態≫
次に、表示色として黒色（黒色粒子９Ｂｋの色彩）が視認される状態について説明する。
例えば、前述した赤色表示状態とした後に、上部透明電極２Ａが正電位、下部電極３Ａ及び３Ｂが負電位となるように、上部透明電極２Ａ及び下部電極３Ａ及び３Ｂ間に電圧を印加する。すると、上部透明電極２Ａの左端部と下部電極３Ａの右端部との間で縦斜め方向（赤色表示のときと同方向）の電界（第１のフリンジ電界）が生じる。一方、上部透明電極２Ａの右端部と下部電極３Ｂの左端部との間で縦斜め方向（白色表示のときと逆方向）の電界（第２のフリンジ電界）が生じる。
【０１１１】
第１のフリンジ電界の作用により、白色粒子９Ｗが下部電極３Ａに吸着された状態を維持し、第２のフリンジ電界の作用により、黒色粒子９Ｂｋが分散媒８中を泳動する。
具体的には、黒色粒子９Ｂｋは、正電位となっている上部透明電極２Ａに電気的に吸着されるように、下部電極３Ｂから上部透明電極２Ａ側に向けて泳動する。
このような電圧印加状態を維持すると、図１６（ｂ）に示すように、黒色粒子９Ｂｋは、上部透明電極２Ａ付近に集合する。これにより、上部透明電極２Ａを介して黒色粒子９Ｂｋの色が視認され、黒色表示状態となる。なお、黒色粒子９Ｂｋは、光をほとんど透過しないため、赤色反射層５Ｒにより表示コントラストが損なわれるおそれはない。
【０１１２】
≪白色表示状態≫
次に、表示色として白色（白色粒子９Ｗの色彩）が視認される状態について説明する。
例えば、図１６（ｂ）に示すように、黒色表示状態とした後に、上部透明電極２Ａが負電位、下部電極３Ａ及び３Ｂが正電位となるように、上部透明電極２Ａ及び下部電極３Ａ及び３Ｂ間に電圧を印加する。すると、上部透明電極２Ａの左端部と下部電極３Ａの右端部との間で縦斜め方向（黒色表示のときとは逆方向）の電界（第１のフリンジ電界）が生じる。一方、上部透明電極２Ａの右端部と下部電極３Ｂの左端部との間で縦斜め方向（黒色表示のときとは逆方向）の電界（第２のフリンジ電界）が生じる。
【０１１３】
第１のフリンジ電界の作用により、白色粒子９Ｗが分散媒８中を上部透明電極２Ａに向けて泳動し、第２のフリンジ電界の作用により、黒色粒子９Ｂｋが分散媒８中を下部電極３Ａ又は３Ｂに向けて泳動する。
具体的には、白色粒子９Ｗは、正に帯電しているので負電位となっている上部透明電極２Ａに電気的に吸着されるように、下部電極３Ａから上部透明電極２Ａ側に向けて泳動する。
【０１１４】
一方、黒色粒子９Ｂｋは、負に帯電しているので正電位となっている下部電極３Ａ又は３Ｂに電気的に吸着されるように、上部透明電極２Ａから下部電極３Ａ又は３Ｂ側（近い側）に向けて泳動する。
このような電圧印加状態を維持すると、図１６（ｃ）に示すように、白色粒子９Ｗは、上部透明電極２Ａ付近に集合し、黒色粒子９Ｂｋは、下部電極３Ａ又は３Ｂ付近に集合する。これにより、上部透明電極２Ａを介して白色粒子９Ｗの色が視認され、白色表示状態となる。
ＳＰ部３１Ｂ又はＳＰ部３１Ｃの場合は、上記赤色表示が緑色表示又は青色表示となる。
【０１１５】
このように、各画素を構成する、ＳＰ部３１Ａ〜３１Ｃの白色粒子９Ｗ及び黒色粒子９Ｂｋの泳動を個別に制御することができる。
これにより、本実施形態に係る電気泳動表示装置１の表示面側には、上記第２の実施形態と同様に、図１３（ａ）〜（ｆ）に例示的に示すように、ＳＰ部３１Ａ〜３１Ｃの上部透明電極２Ａ〜２Ｃを通して、様々な色表示を行うことができる。
従って、本実施形態に係る電気泳動表示装置は、白色粒子９Ｗ、黒色粒子９Ｂｋ、赤色反射層５Ｒ、緑色反射層５Ｇ及び青色反射層５Ｂによる反射光に基づいて、各画素のＳＰ部３１Ａ〜３１ＣのＲＧＢのカラー表示によって、所望の情報（画像）を表示することができる。
【０１１６】
なお、上記ＳＰ部３１Ａ〜３１Ｃにおける、赤色反射層５Ｒをシアン色の反射色光を反射する反射層であるシアン色反射層５Ｃｙに、緑色反射層５Ｇをマゼンタ色の反射色光を反射する反射層であるマゼンタ色反射層５Ｍｇに、青色反射層５Ｂをイエロー色（黄色）の反射色光を反射する反射層である黄色反射層５Ｙｅにそれぞれ置換した構成としてもよい。
この場合は、赤色、緑色及び青色の加法混色とは異なり、シアン色、マゼンタ色及びイエロー色による減法混色によるカラー表示によって、所望の情報（画像）を表示することができる。
【０１１７】
〔第３の実施形態の変形例１〕
次に、本発明に係る電気泳動表示装置の第３の実施形態の変形例１について説明する。
本変形例１に係る電気泳動表示装置は、上記第３の実施形態のＳＰ部３１Ａ〜３１Ｃに加えて、上記第２の実施形態の変形例におけるＳＰ部３０Ｄと同様の構成のＳＰ部３１Ｄを含む４種類のＳＰ部を備える点で上記第３の実施形態と異なる。
更に、本変形例１に係る電気泳動表示装置は、上記４種類のＳＰ部３１Ａ〜３１Ｄを所定の位置関係で連接し、これら４種類のサブピクセルで一画素を構成する点で上記第３の実施形態と異なる。これら以外は、上記第３の実施形態と同様となる。
従って、以下、第３の実施形態の変形例１に係る電気泳動表示装置について説明するが、上記第３の実施形態との相違点を中心に説明し、同様の事項については、その説明を省略する。
【０１１８】
本変形例１に係る電気泳動表示装置は、上記第３の実施形態の３種類のＳＰ部３１Ａ〜３１Ｃに加えて、ＳＰ部３１Ａ〜３１Ｃと同様の構成において、反射層を白色反射層５Ｗとし、セル１３内に黒色粒子９Ｂｋのみを封入したＳＰ部３１Ｄを備えている（図示省略）。
本変形例１において、ＳＰ部３０Ａ〜３１Ｄの組は、これら４つで一画素（ピクセル）を構成するようになっている。そして、ＳＰ部３１Ａ〜３１Ｄの組は複数組が、上記第３の実施形態と同様の形成方法によって、基板１１の一方の面に形成される。このとき、ＳＰ部３１Ａ〜３１Ｄの各組は所定位置関係で連接するように形成される。具体的に、各隣接するＳＰ部同士の反射層の反射色光が異なる色のものとなるように形成される。
【０１１９】
ＳＰ部３１Ａ〜３１Ｄの各セル１３における赤色、緑色、青色及び白色反射層５Ｒ、５Ｇ、５Ｂ及び５Ｗの上部には、平面視で上部透明電極２Ａ、２Ｂ、２Ｃ及び２Ｄと重ならない位置に、互いに独立した下部電極３Ａ及び３Ｂが形成されている。
下部電極３Ａ及び３Ｂの構成材料としては、上記第１の実施形態の下部電極３と同様の材料を用いることができる。
本変形例１において、ＳＰ部３１Ｄの各セル１３には、分散媒８に、負（−）に帯電され且つ黒色に着色された電気泳動粒子９Ｂｋを分散（懸濁）させた分散系が供給される。
【０１２０】
なお、本変形例１に係る電気泳動表示装置の動作は、ＳＰ部３１Ａ〜３１Ｃについては、上記第３の実施形態と同様の制御内容となり、ＳＰ部３１Ｄについては、上記第２の実施形態の変形例のＳＰ部３０Ｄと同様となるので説明を省略する。
以上より、本変形例１に係る電気泳動表示装置は、白色粒子９Ｗ、黒色粒子９Ｂｋ、赤色反射層５Ｒ、緑色反射層５Ｇ、青色反射層５Ｂ及び白色反射層５Ｗによる反射光に基づいて、各画素の３つのＳＰ部３１Ａ〜３１Ｃのカラー表示及び１つのＳＰ部３１Ｄの白黒表示の組み合わせによって、所望の情報（画像）を表示することができる。
【０１２１】
なお、上記ＳＰ部３１Ａ〜３１Ｃにおける、赤色反射層５Ｒをシアン色の反射色光を反射する反射層であるシアン色反射層５Ｃｙに、緑色反射層５Ｇをマゼンタ色の反射色光を反射する反射層であるマゼンタ色反射層５Ｍｇに、青色反射層５Ｂをイエロー色（黄色）の反射色光を反射する反射層である黄色反射層５Ｙｅにそれぞれ置換した構成としてもよい。
この場合は、赤色、緑色及び青色の加法混色とは異なり、シアン色、マゼンタ色及びイエロー色による減法混色によるカラー表示及び白黒表示の組み合わせによって、所望の情報（画像）を表示することができる。
【０１２２】
〔第３の実施形態の変形例２〕
次に、本発明に係る電気泳動表示装置の第３の実施形態の変形例２について説明する。
本変形例２に係る電気泳動表示装置は、上記第３の実施形態に係る電気泳動表示装置のＳＰ部３１Ａ〜３１Ｃに代えて、各セル１３において、反射層を赤色、緑色及び青色反射層５Ｒ、５Ｇ及び５Ｂのうちのいずれか１つで構成した。更に、セル１３内に封入する粒子を、赤色、緑色及び青色のうち反射層の色と異なる２色の粒子とした点で上記第３の実施形態及び変形例１と異なる。また、このような構成のピクセル部３２で一画素を構成する点で上記第３の実施形態及び変形例１と異なる。これら以外は、上記第３の実施形態及び変形例１と同様となる。
従って、以下、第３の実施形態の変形例２に係る電気泳動表示装置について説明するが、上記第３の実施形態及び変形例１との相違点を中心に説明し、同様の事項については、その説明を省略する。
【０１２３】
図１７は、第３の実施形態の変形例２に係る電気泳動表示装置のピクセル部の縦断面図である。
本変形例２の電気泳動表示装置は、図１７に示すように、上記第１の実施形態の電気泳動表示装置１の複数のセル１３における各単位セル１３によって構成されたピクセル部３２を備えている。
本変形例において、各ピクセル部３２は、互いに独立した下部電極３Ａ及び３Ｂの２種類の電極と、赤色反射層５Ｒとを備えている。
【０１２４】
更に、ピクセル部３２のセル１３内には、緑色に着色された電気泳動粒子９Ｇ（以下、緑色粒子９Ｇと称す）と、青色に着色された電気泳動粒子色９Ｂ（以下、青色粒子と称す）とが封入されている。
本変形例２において、ピクセル部３２の各セル１３には、分散媒８に、負（−）に帯電された緑色粒子９Ｇと、正（＋）に帯電された青色粒子とを分散（懸濁）させた分散系が供給される。
なお、ピクセル部３２の反射層を緑色反射層５Ｇとし且つセル１３内に封入する電気泳動粒子の色を赤色及び青色の２種類にした構成としてもよい。また、ピクセル部３２の反射層を青色反射層５Ｂとし、電気泳動粒子の色を赤色及び緑色の２種類にした構成としてもよい。
【０１２５】
また、本変形例２に係る電気泳動表示装置の動作は、反射層及び粒子の色が異なるのみで、セル１３内の粒子の制御は、上記第３の実施形態のＳＰ部３１Ａ〜３１Ｃのいずれか１と同様の制御内容となるので説明を省略する。
以上より、本変形例２に係る電気泳動表示装置１は、各画素の緑色粒子９Ｇ、青色粒子９Ｂ及び赤色反射層５Ｒによる反射光に基づいて、カラー表示によって、所望の情報（画像）を表示することができる。
なお、上記ピクセル部３２における、赤色反射層５Ｒをシアン色の反射色光を反射する反射層であるシアン色反射層５Ｃｙに、緑色粒子９Ｇをマゼンタ色粒子９Ｍｇに、青色粒子９Ｂを黄色粒子９Ｙｅにそれぞれ置換した構成としてもよい。
【０１２６】
また、反射層をマゼンタ色反射層５Ｍｇとし且つセル１３内に封入する電気泳動粒子の色をシアン色及びイエロー色の２種類にした構成としてもよい。また、反射層を黄色反射層５Ｙｅとし、電気泳動粒子の色をシアン色及びマゼンタ色の２種類にした構成としてもよい。
この場合は、赤色、緑色及び青色の加法混色とは異なり、シアン色、マゼンタ色及びイエロー色による減法混色によるカラー表示によって、所望の情報（画像）を表示することができる。
【０１２７】
〔第４の実施形態〕
次に、本発明に係る電気泳動表示装置の第４の実施形態について説明する。
図１８〜図１９は、本発明に係る電気泳動表示装置の第４の実施形態を模式的に示す図である。
本実施形態に係る電気泳動表示装置は、第１の実施形態に係る電気泳動表示装置において各３つのセル１３の表示面側に、赤色、緑色及び青色のうちいずれか１色のフィルター層を形成した３種類のサブピクセルを備える点で上記第１〜第３の実施形態及び各変形例と異なる。
【０１２８】
更に、本実施形態に係る電気泳動表示装置は、上記３種類のサブピクセルを連接し、これら３種類のサブピクセルで一画素を構成する点で上記第１の実施形態と異なる。これら以外は、上記第１〜第３の実施形態及び各変形例と同様となる。
従って、以下、第４の実施形態に係る電気泳動表示装置について説明するが、上記第１〜第３の実施形態及び各変形例との相違点を中心に説明し、同様の事項については、その説明を省略する。
【０１２９】
図１８（ａ）〜（ｃ）は、第４の実施形態に係る電気泳動表示装置の３種類のサブピクセル部の縦断面図である。また、図１９（ａ）〜（ｅ）は、第４の実施形態に係る電気泳動表示装置の一画素の表示色の構成例を示す模式的な平面図である。
本実施形態に係る電気泳動表示装置は、図１８（ａ）〜（ｃ）に示すように、上記第１の実施形態に係る電気泳動表示装置１における複数のセル１３の各３つのセル１３によって構成されるサブピクセル部３３Ａ〜３３Ｃを備えている。
【０１３０】
サブピクセル部３３Ａ〜３３Ｃ（以下、ＳＰ部３３Ａ〜３３Ｃと称す）は、各々が、基板１７におけるＢＭ６及び上部透明電極２の形成面と同じ面側に、赤色、緑色及び青色のうちＳＰ部３３Ａ〜３３Ｃで相互に異なる色の透光性を有するカラーフィルター層を備えている。
具体的に、ＳＰ部３３Ａは、ＢＭ６及び上部透明電極２Ａと基板１７との間に介在する赤色フィルター層１０Ｒを備えている。
【０１３１】
また、ＳＰ部３３Ｂは、ＢＭ６及び上部透明電極２Ｂと基板１７との間に介在する緑色フィルター層１０Ｇを備えている。
また、ＳＰ部３３Ａは、ＢＭ６及び上部透明電極２Ｃと基板１７との間に介在する青色フィルター層１０Ｂを備えている。
カラーフィルター層の材料としては、ネガ型カラーレジスト材料を用いることができる。
ネガ型カラーレジスト材料は、紫外線を照射すると硬化して現像液に溶解しなくなるので、ネガ型カラーレジスト材料の塗布後、露光して現像するパターン形成を繰り返すことにより、各セル１３毎に所定色のカラーフィルター層を形成できる。
【０１３２】
ＳＰ部３３Ａ〜３３Ｃの各セル１３における白色反射層５Ｗの上部には、それぞれ平面視で上部透明電極２Ａ〜２Ｃと重ならない位置に、互いに独立した下部電極３Ａ及び３Ｂが形成されている。
下部電極３Ａ及び３Ｂの構成材料としては、上記第１の実施形態の下部電極３と同様の材料を用いることができる。
本実施形態において、ＳＰ部３３Ａ〜３３Ｃの各セル１３には、分散媒８に、負（−）に帯電され且つ黒色に着色された電気泳動粒子９Ｂｋを分散（懸濁）させた分散系が供給される。
【０１３３】
次に、本実施形態の電気泳動表示装置の動作について説明する。ここで、ＳＰ部３３Ａ〜３３Ｃは、カラーフィルター層の色が異なるのみで各ＳＰ部の制御内容は同様となる。従って、以下、代表してＳＰ部３３Ａについて動作を説明する。
≪赤色表示状態≫
まず、表示色として赤色（赤色フィルター層１０Ｒの色彩）が視認される状態について説明する。
上部透明電極２Ａがグランド、下部電極３Ａ及び３Ｂが正電位となるように、上部透明電極２と下部電極３Ａ及び３Ｂ間に電圧を印加すると、上部透明電極２Ａの両端部と下部電極３Ａの右端部、下部電極３Ｂの左端部との間で、縦斜め方向の電界（フリンジ電界）が生じる。このフリンジ電界の作用により、黒色粒子９Ｂｋは、負に帯電した粒子であるため、正電位となっている下部電極３Ａ及び３Ｂに電気的に吸着されるように、下部電極３Ａ及び３Ｂ側に向けて泳動する。
【０１３４】
このような電圧印加状態（電界発生状態）を維持すると、図１８（ａ）に示すように、黒色粒子９Ｂｋが、全て下部電極３Ａ及び３Ｂに吸着した状態となる。
これにより、赤色フィルター層１０Ｒの色が視認され、赤色表示状態となる。
一方の下部電極３Ａ及び３Ｂに吸着した黒色粒子９Ｂｋは、視認側から平面視してＢＭ６の遮光膜６ａによって被覆されている。このような状態では、視認側から入射した下部電極３に向かう光がＢＭ６において遮断されるため、電気泳動表示装置の使用者は、赤色フィルター層１０Ｒによる色光のみを視認することになる。
【０１３５】
≪黒色表示状態≫
次に、表示色として黒色（黒色粒子９Ｂｋの色彩）が視認される状態について説明する。
例えば、前述した赤色表示状態とした後に、上部透明電極２Ａが正電位、下部電極３Ａ及び３Ｂがグランドとなるように、上部透明電極２Ａと下部電極３Ａ及び３Ｂ間に電圧を印加する。すると、上部透明電極２Ａの両端部と下部電極３Ａの右端部、下部電極３Ｂの左端部との間で、縦斜め方向（赤色表示のときとは逆方向）の電界（フリンジ電界）が生じる。このフリンジ電界の作用により、黒色粒子９Ｂｋが分散媒８中を泳動する。
【０１３６】
具体的には、黒色粒子９Ｂｋは、正電位となっている上部透明電極２Ａに電気的に吸着されるように、下部電極３Ａ及び３Ｂから上部透明電極２Ａ側に向けて泳動する。
このような電圧印加状態を維持すると、上記第１の実施形態と同様に、図８（ｃ）に示すように、黒色粒子９Ｂｋは、上部透明電極２Ａ付近に集合する。これにより、視認側からは黒色粒子９Ｂｋの色が視認され、黒色表示状態となる。なお、黒色粒子９Ｂｋは、光をほとんど透過しないため、白色反射層５Ｗにより表示コントラストが損なわれるおそれはない。
【０１３７】
これにより、本実施形態に係る電気泳動表示装置の表示面側には、図１９（ａ）〜（ｅ）に例示的に示すように、ＳＰ部３３Ａ〜３３Ｃの上部透明電極２Ａ〜２Ｃ及び各カラーフィルター層を通して、様々な色表示を行うことができる。
例えば、図１９（ａ）に示すように、赤色フィルター層１０Ｒ（２Ａ）、緑色フィルター層１０Ｇ（２Ｂ）及び青色フィルター層１０Ｂ（２Ｃ）を透過した各色光の混色表示を行うことができる。
【０１３８】
また、例えば、１９（ｂ）に示すように、赤色フィルター層１０Ｒ（２Ａ）、青色フィルター層１０Ｂ（２Ｃ）を透過した各色光及び黒色粒子９Ｂｋ（２Ｂ）の反射光の混色表示を行うことができる。
また、例えば、図１９（ｃ）〜（ｄ）に示すように、赤色フィルター層１０Ｒ（２Ａ）、緑色フィルター層１０Ｇ（２Ｂ）を透過した各色光及び黒色粒子９Ｂｋ（２Ｃ）の反射光の混色表示、緑色フィルター層１０Ｇ（２Ｂ）、青色フィルター層１０Ｂ（２Ｃ）を透過した各色光及び黒色粒子９Ｂｋ（２Ａ）の反射光の混色表示を行うことができる。
【０１３９】
また、例えば、図１９（ｅ）に示すように、黒色粒子９Ｂｋのみ（２Ａ〜２Ｃ）による黒色表示を行うことができる。
従って、本実施形態に係る電気泳動表示装置は、黒色粒子９Ｂｋの反射光、赤色フィルター層１０Ｒ、緑色フィルター層１０Ｇ及び青色フィルター層１０Ｂによる色光に基づいて、各画素のカラー表示によって、所望の情報（画像）を表示することができる。
【０１４０】
なお、上記ＳＰ部３３Ａ〜３３Ｃにおける、赤色フィルター層１０Ｒをシアン色の光を透光するフィルター層であるシアン色フィルター層１０Ｃｙに、緑色フィルター層１０Ｇをマゼンタ色の色光を透光するフィルター層であるマゼンタ色フィルター層１０Ｍｇに、青色フィルター層１０Ｂをイエロー色（黄色）の色光を透光するフィルター層である黄色フィルター層１０Ｙｅにそれぞれ置換した構成としてもよい。
この場合は、赤色、緑色及び青色の加法混色とは異なり、シアン色、マゼンタ色及びイエロー色による減法混色によるカラー表示によって、所望の情報（画像）を表示することができる。
【０１４１】
〔第４の実施形態の変形例〕
次に、本発明に係る電気泳動表示装置の第４の実施形態の変形例について説明する。
本変形例に係る電気泳動表示装置は、上記第４の実施形態のＳＰ部３３Ａ〜３３Ｃに加えて、上記第２の実施形態の変形例におけるＳＰ部３０Ｄと同じ構成のＳＰ部３３Ｄを含む４種類のＳＰ部を備える点で上記第４の実施形態と異なる。
更に、本変形例に係る電気泳動表示装置は、上記４種類のＳＰ部３３Ａ〜３３Ｄを所定の位置関係で連接し、これら４種類のサブピクセルで一画素を構成する点で上記第４の実施形態と異なる。これら以外は、上記第４の実施形態と同様となる。
従って、以下、第４の実施形態の変形例に係る電気泳動表示装置について説明するが、上記第４の実施形態との相違点を中心に説明し、同様の事項については、その説明を省略する。
【０１４２】
図２０（ａ）〜（ｆ）は、第４の実施形態の変形例に係る電気泳動表示装置の一画素の色構成例を示す模式的な平面図である。
本変形例に係る電気泳動表示装置は、上記第４の実施形態の電気泳動表示装置の３種類のＳＰ部３３Ａ〜３３Ｃに加えて、ＳＰ部３３Ａ〜３３Ｃと同様の構成において、そのセル１３内に黒色粒子９Ｂｋのみを封入したＳＰ部３３Ｄを備えている（図示省略）。
本変形例において、ＳＰ部３３Ａ〜３３Ｄの組は、これら４つで一画素（ピクセル）を構成するようになっている。そして、ＳＰ部３３Ａ〜３３Ｄの組は複数組が、上記第１の実施形態と同様の形成方法によって、基板１１の一方の面に形成された白色反射層５Ｗの上部に形成される。このとき、ＳＰ部３３Ａ〜３３Ｄの各組は所定位置関係で連接するように形成される。具体的に、各隣接するＳＰ部同士が異なるＳＰ部となるように形成される。
【０１４３】
ＳＰ部３３Ａ〜３３Ｄの各セル１３における白色反射層５Ｗの上部には、平面視で上部透明電極２と重ならない位置に、互いに独立した下部電極３Ａ及び３Ｂが形成されている。
下部電極３Ａ及び３Ｂの構成材料としては、上記第１の実施形態の下部電極３と同様の材料を用いることができる。
本変形例において、ＳＰ部３３Ｄの各セル１３には、分散媒８に、負（−）に帯電され且つ黒色に着色された電気泳動粒子９Ｂｋを分散（懸濁）させた分散系が供給される。
本変形例に係る電気泳動表示装置の動作は、ＳＰ部３３Ａ〜３３Ｃについては、上記第４の実施形態と同様の制御内容となる。更に、ＳＰ部３３Ｄについては、上記第２の実施形態の変形例におけるＳＰ部３０Ｄと同様の制御内容となる。従って、ＳＰ部３３Ａ〜３３Ｄの動作については説明を省略する。
【０１４４】
上記構成によって、本変形例に係る電気泳動表示装置の表示面側には、図２０（ａ）〜（ｆ）に例示的に示すように、ＳＰ部３３Ａ〜３３Ｄの上部透明電極２Ａ〜２Ｄ及び各カラーフィルター層を通して、様々な色表示を行うことができる。
例えば、図２０（ａ）に示すように、赤色フィルター層１０Ｒ（２Ａ）、緑色フィルター層１０Ｇ（２Ｂ）及び青色フィルター層１０Ｂ（２Ｃ）を透過した色光と、白色反射板５Ｗ（２Ｄ）の反射色光との混色表示を行うことができる。
【０１４５】
また、例えば、図２０（ｂ）に示すように、赤色フィルター層１０Ｒ（２Ａ）及び青色フィルター層１０Ｂ（２Ｃ）を透過した色光と、白色反射層５Ｗ（２Ｄ）の反射色光と、黒色粒子９Ｂｋ（２Ｂ）の反射光との混色表示を行うことができる。
また、例えば、図２０（ｃ）に示すように、赤色フィルター層１０Ｒ（２Ａ）、緑色フィルター層１０Ｇ（２Ｂ）を透過した色光と、白色反射層５Ｗ（２Ｄ）の反射色光と、黒色粒子９Ｂｋ（２Ｃ）の反射光との混色表示を行うことができる。
【０１４６】
また、例えば、図２０（ｄ）に示すように、黒色粒子９Ｂｋ（２Ａ）と、緑色フィルター層１０Ｇ（２Ｂ）及び青色フィルター層１０Ｂ（２Ｃ）を透過した色光と、白色反射層５Ｗ（２Ｄ）の反射色光との混色表示を行うことができる。
また、例えば、図２０（ｅ）に示すように、３つのサブピクセル部の黒色粒子９Ｂｋ（２Ａ〜２Ｃ）と、白色反射層５Ｗ（２Ｄ）の反射色光との混色表示を行うことができる。
【０１４７】
また、例えば、図２０（ｆ）に示すように、４つのサブピクセル部の黒色粒子９Ｂｋ（２Ａ〜２Ｄ）の反射光による黒色表示を行うことができる。
従って、本変形例に係る電気泳動表示装置は、白色反射層５Ｗ、黒色粒子９Ｂｋ、赤色フィルター層１０Ｒ、緑色フィルター層１０Ｇ及び青色フィルター層１０Ｂによる反射光及び透過光に基づいて、各画素の３つのＳＰ部３３Ａ〜３３Ｃのカラー表示及びＳＰ部３３Ｄの白黒表示の組み合わせによって、所望の情報（画像）を表示することができる。
なお、上記ＳＰ部３３Ａ〜３３Ｃにおける、赤色フィルター層１０Ｒをシアン色の光を透光するフィルター層であるシアン色フィルター層１０Ｃｙに、緑色フィルター層１０Ｇをマゼンタ色の色光を透光するフィルター層であるマゼンタ色フィルター層１０Ｍｇに、青色フィルター層１０Ｂをイエロー色（黄色）の色光を透光するフィルター層である黄色フィルター層１０Ｙｅにそれぞれ置換した構成としてもよい。
【０１４８】
この場合は、赤色、緑色及び青色の加法混色とは異なり、シアン色、マゼンタ色及びイエロー色による減法混色によるカラー表示及び白黒表示の組み合わせによって、所望の情報（画像）を表示することができる。
上記各実施形態及び各変形例において、上部透明電極２、及び２Ａ〜２Ｄは、第１電極に対応し、下部電極３は、第２電極に対応し、下部電極３Ａは、第１の第２電極に対応し、下部電極３Ｂは、第２の第２電極に対応する。
【０１４９】
また、上記各実施形態及び各変形例において、白色反射層５Ｗ、赤色反射層５Ｒ、緑色反射層５Ｇ及び青色反射層５Ｂは、反射部材に対応し、制御回路は、電圧印加手段に対応し、ＢＭ６は、遮蔽部材に対応する。
なお、上記第１の実施形態において、セル１３の底面部に形成する反射層を白色反射層５Ｗとし、セル１３に封入する電気泳動粒子を黒色粒子９Ｂｋとしたが、この構成に限らず、反射層の色と、電気泳動粒子の色とを他の色の組み合わせとした構成としてもよい。
【０１５０】
また、上記第１の実施形態において、下部電極３及びＢＭ６の形状を、図４（ａ）及び（ｂ）に示す構成としたが、この構成に限らない。例えば、上記第２〜第４の実施形態及び各変形例と同様に、図１０（ａ）及び（ｂ）に示す構成としてもよい。また、例えば、図１０（ａ）に示すようにセル１３の底面部における平面視で左右端に下部電極を設ける構成に限らず、図２１（ａ）に示すように、上端側に下部電極３Ａを配設し、下端側に下部電極３Ｂを配設した構成としてもよい。この場合に、ＢＭ６の形状は、図２１（ｂ）に示すようになる。また、これらの構成に限らず、平面視で上部透明電極２と重ならない位置関係にあれば、どのような形状であってもよい。また、下部電極の数は、２つに限らず３つ以上であってもよい。但し、３つ以上とする場合は、下部電極の数は偶数で且つ平面視で上部透明電極２を挟んで対称位置に同数を配設するのが望ましい。
【０１５１】
また、上記第２〜第４の実施形態及び各変形例において、下部電極３及びＢＭ６の形状を、図１０（ａ）及び（ｂ）に示す構成としたが、この構成に限らない。例えば、図２１（ａ）及び（ｂ）に示す構成など、他の構成としてもよい。
また、この構成に限らず、平面視で上部透明電極２と重ならない位置関係にあれば、どのような形状であってもよい。また、下部電極の数は、２つに限らず３つ以上であってもよい。但し、３つ以上とする場合は、下部電極の数は偶数で且つ平面視で上部透明電極２を挟んで対称位置に同数を配設するのが望ましい。
【０１５２】
また、上記各実施形態及び各変形例において、ＢＭ６を用いて下部電極３を隠蔽する構成としたが、この構成に限らない。例えば、図２２に示すように、各セル１３を構成する隔壁１２を遮光性を有する部材で形成する共に、表示面側から見て下部電極３が隠蔽される形状として、隔壁１２によって、下部電極３を隠蔽する構成としてもよい。
具体的に、図２２の例では、各セル１３の各隔壁１２を、隔壁１２の底面側端部から上部透明電極２の端部に向かって伸びる傾斜面を有する形状とする。これにより、隔壁１２によって、表示面側から見て下部電極３が隠蔽される。なお、隔壁１２の形状は、図２２に示す形状に限らず、表示面側から見て下部電極３を隠蔽できる形状で且つ電気泳動粒子が下部電極３の上部に吸着できる空間が確保された状態であれば、どのような形状でもよい。
【０１５３】
また、上記各実施形態及び各変形例において、上部透明電極２及び下部電極３を、表示面側から平面視して、両者が重ならないように各画素又はサブピクセル部を構成したが、この構成に限らない。
例えば、図２３に示すように、製造誤差による場合も含めて、表示面側から平面視して上部透明電極２の端部及び下部電極３の端部とが一部重なるように構成されていてもよい。但し、図２３に示す重なり長さｄが、予め設定した表示品質となる範囲内の長さに納まっていることが望ましい。
【符号の説明】
【０１５４】
１…電位泳動表示装置、２，２Ａ〜２Ｄ…上部透明電極、３，３Ａ，３Ｂ…下部電極、５Ｗ…白色反射層、５Ｒ…赤色反射層、５Ｇ…緑色反射層、５Ｂ…青色反射層、６…ブラックマトリクス、６ａ…遮光膜、６ｂ…空白部分、７…絶縁膜、８…分散媒、９Ｂｋ，９Ｗ，９Ｒ，９Ｇ，９Ｂ…電気泳動粒子、１０Ｒ…赤色フィルター層、１０Ｇ…緑色フィルター層、１０Ｂ…青色フィルター層、１１…下部基板、１２…隔壁、１３…セル、１４…開口部、１７…上部透明基板、１８…表示面層、３０Ａ〜３０Ｄ，３１Ａ〜３１Ｄ、３３Ａ〜３３Ｄ…サブピクセル部、３２…ピクセル部、９１…電気回路
【図１】
2011186004.tif 000003
【図２】
2011186004.tif 000004
【図３】
2011186004.tif 000005
【図４】
2011186004.tif 000006
【図５】
2011186004.tif 000007
【図６】
2011186004.tif 000008
【図７】
2011186004.tif 000009
【図８】
2011186004.tif 000010
【図９】
2011186004.tif 000011
【図１０】
2011186004.tif 000012
【図１１】
2011186004.tif 000013
【図１２】
2011186004.tif 000014
【図１３】
2011186004.tif 000015
【図１４】
2011186004.tif 000016
【図１５】
2011186004.tif 000017
【図１６】
2011186004.tif 000018
【図１７】
2011186004.tif 000019
【図１８】
2011186004.tif 000020
【図１９】
2011186004.tif 000021
【図２０】
2011186004.tif 000022
【図２１】
2011186004.tif 000023
【図２２】
2011186004.tif 000024
【図２３】
2011186004.tif 000025